(57)【要約】  同一の地域に相互に異なる周波数領域を有して、マルチメディアブロードキャスト／マルチキャストサービス（ＭＢＭＳ）を支援する移動通信システムにおいて、ＭＢＭＳサービスを受信するために、使用者端末機がセルを選択する方法を提供する。無線網制御器は、ＭＢＭＳを支援するセルに関する情報を使用者端末機へ送信し、ＭＢＭＳを支援するセルに関する情報は、ＭＢＭＳセルへのセル再選択のための優先順位を保障するＭＢＭＳオフセットを含む。使用者端末機は、ＭＢＭＳを支援するセルに関する情報を用いてセル再選択を遂行し、再選択されたセルからＭＢＭＳサービスを受信する。
2007502573.tif 000002
【特許請求の範囲】
【請求項１】
同一の地域に相互に異なる周波数領域を有して、マルチメディアブロードキャスト／マルチキャストサービス（ＭＢＭＳ）を支援する移動通信システムにおいて、前記ＭＢＭＳサービスを受信するために、使用者端末機がセルを選択する方法であって、
無線網制御器が前記ＭＢＭＳを支援するセルへのセル再選択を遂行するために、優先順位を調整するＭＢＭＳオフセットを含むＭＢＭＳを支援するセルに関する情報を使用者端末機へ送信するステップと、
前記使用者端末が、前記ＭＢＭＳを支援するセルに関する情報を用いてセル再選択を遂行し、前記再選択されたセルから前記ＭＢＭＳサービスを受信するステップと
を具備することを特徴とする方法。
【請求項２】
前記ＭＢＭＳを支援するセルに関する情報は、前記ＭＢＭＳを支援するセルの周波数情報をさらに含むことを特徴とする請求項１記載の方法。
【請求項３】
前記ＭＢＭＳを支援するセルに関する情報は、前記ＭＢＭＳを支援するセル及びターゲットセルを識別するセル識別子をさらに含むことを特徴とする請求項１記載の方法。
【請求項４】
前記使用者端末機は、セル選択のためにあらかじめ定められた式に前記ＭＢＭＳオフセットを適用して、セルを再選択することを特徴とする請求項１記載の方法。
【請求項５】
前記ＭＢＭＳを支援するセルに関する情報は、前記ＭＢＭＳセル内にサービスされるＭＢＭＳサービス識別子をさらに含むことを特徴とする請求項１記載の方法。
【請求項６】
前記無線網制御器は、前記ＭＢＭＳを支援するセルに関する情報をセル別に送信されるシステム情報ブロックに含んで送信することを特徴とする請求項１記載の方法。
【請求項７】
前記無線網制御器は、前記ＭＢＭＳを支援するセルに関する情報を前記ＭＢＭＳを支援するための専用システム情報ブロックを介してセル別に送信することを特徴とする請求項１記載の方法。
【請求項８】
前記ＭＢＭＳを支援するための専用システム情報ブロックは、前記使用者端末機が位置したセルのＭＢＭＳを支援するか否かを示す情報をさらに含むことを特徴とする請求項７記載の方法。
【請求項９】
前記使用者端末機は、前記ＭＢＭＳオフセットを用いて、もっとも高い優先順位を有する隣接セルへのセル再選択を遂行することを特徴とする請求項１記載の方法。
【請求項１０】
同一の地域に相互に異なる周波数領域を有して、マルチメディアブロードキャスト／マルチキャストサービス（ＭＢＭＳ）を提供する移動通信システムにおいて、ＭＢＭＳのためのセルを再選択する方法であって、
無線網制御器が、隣接セルがＭＢＭＳサービスを支援可能であるか否かを示す識別情報を含むシステム情報ブロック（ＳＩＢ）を使用者端末機へ送信するステップと、
前記使用者端末が、前記システム情報ブロックを用いて、ＭＢＭＳを支援する前記セルへのセル再選択を遂行するステップと
を具備することを特徴とする方法。
【請求項１１】
前記識別情報は、前記ＭＢＭＳを支援するセル識別子（ＩＤ）と、前記ＭＢＭＳセルの周波数領域（ＦＡ）を示す周波数情報と、前記ＭＢＭＳセルの第１の共通パイロットチャンネル（Ｐ−ＣＰＩＣＨ）に対する第１のスクランブリングコードを示すセル情報と、前記セル再選択のための優先順位を保証するオフセットとを含むことを特徴とする請求項１０記載の方法。
【請求項１２】
前記識別情報は、ブロードキャスティング制御チャンネル（ＢＣＣＨ）を介してセル別に送信することを特徴とする請求項１０記載の方法。
【請求項１３】
前記使用者端末機は、前記ＭＢＭＳサービスに加入した後に、前記ＭＢＭＳを支援するセルへのセル再選択を遂行することを特徴とする請求項１０記載の方法。
【請求項１４】
同一の地域に相互に異なる周波数領域を有して、マルチメディアブロードキャスト／マルチキャストサービス（ＭＢＭＳ）を提供する移動通信システムにおいて、前記ＭＢＭＳサービスのためのセルを再選択する方法であって、
無線網制御器が、隣接セルがＭＢＭＳサービスを支援可能であるか否かを示す識別情報を制御メッセージを通じて使用者端末機へ周期的に送信するステップと、
前記使用者端末が、前記制御メッセージを通じて受信された識別情報を用いて、ＭＢＭＳを支援する前記セルへのセル再選択を遂行するステップと
を具備することを特徴とする方法。
【請求項１５】
前記識別情報は、前記ＭＢＭＳを支援するセル識別子（ＩＤ）と、前記ＭＢＭＳセルの周波数領域（ＦＡ）を示す周波数情報と、前記ＭＢＭＳセルの第１の共通パイロットチャンネル（Ｐ−ＣＰＩＣＨ）に対する第１のスクランブリングコードを示すセル情報と、前記セル再選択のための優先順位を調整するオフセットとを含むことを特徴とする請求項１４記載の方法。
【請求項１６】
前記識別情報は、ＭＢＭＳ制御チャンネル（ＭＣＣＨ）を介してＭＢＭＳサービス別に送信することを特徴とする請求項１４記載の方法。
【請求項１７】
同一の地域に相互に異なる周波数領域を有して、マルチメディアブロードキャスト／マルチキャストサービス（ＭＢＭＳ）を提供する移動通信システムにおいて、使用者端末機が所望の周波数帯域へのセル再選択を遂行する方法であって、
無線網制御器から、ＭＢＭＳサービスＩＤと、前記ＭＢＭＳサービスに対する所望の周波数に関する情報と、前記セル再選択を調整するためのＭＢＭＳオフセットとを含むメッセージを受信するステップと、
前記メッセージに含まれた情報を用いて周波数間の測定を遂行するステップと、
前記ＭＢＭＳサービスを支援するセルに対する所望の周波数帯域が現在のセルに対する周波数帯域よりも受信電力がさらに高い場合に、前記セル再選択を遂行するステップと
を具備することを特徴とする方法。
【請求項１８】
前記使用者端末機は、ＭＢＭＳセッションが開始される前に送信された情報を含む通知メッセージを受信して、前記通知メッセージに基づいて周波数間の測定を遂行し、前記ＭＢＭＳサービスを支援するセルに対する所望の周波数帯域が現在のセルに対する周波数帯域よりも受信電力がさらに高い場合に、前記所望の周波数帯域へのセル再選択を遂行することを特徴とする請求項１７記載の方法。
【請求項１９】
前記使用者端末機は、前記ＭＢＭＳセッションを開始した後に、情報を含む制御メッセージを周期的に受信して、前記制御メッセージに基づいて周波数間の測定を遂行し、前記ＭＢＭＳサービスを支援するセルに対する所望の周波数帯域が現在のセルに対する周波数帯域よりも受信電力がさらに高い場合に、前記所望の周波数帯域へのセル再選択を遂行することを特徴とする請求項１７記載の方法。
【請求項２０】
前記使用者端末機は、前記ＭＢＭＳサービスに対する前記ＭＢＭＳセッションが進行中であり、新たなセルを選択した場合に、周期的に送信された通知メッセージを受信し、前記通知メッセージに基づいて周波数間の測定を遂行することを特徴とする請求項１７記載の方法。
【請求項２１】
前記使用者端末機は、前記通知メッセージから前記再選択されたセルの周波数帯域が所望の周波数帯域に該当すると判断されると、前記セル再選択を遂行することを特徴とする請求項２０記載の方法。
【請求項２２】
前記使用者端末機は、前記通知メッセージから前記再選択されたセルの周波数帯域が所望の周波数帯域に該当しないと判断されると、前記現在のセルに滞在し、前記現在のセルから前記ＭＢＭＳサービスを受信することを特徴とする請求項２０記載の方法。
【請求項２３】
地理的に同一の地域に相互に異なる周波数領域を有して、マルチメディアブロードキャスト／マルチキャストサービス（ＭＢＭＳ）を提供する移動通信システムにおいて、無線網制御器がＭＢＭＳを支援しない周波数領域（ＦＡ）に位置した使用者端末機へＭＢＭＳサービスを支援する方法であって、
前記無線網制御器が、前記ＭＢＭＳを支援する周波数領域に関する情報を含むシステム情報ブロックを前記使用者端末機へ送信するステップと、
前記ＭＢＭＳを支援する周波数領域に関する情報を含むメッセージを前記使用者端末機へ周期的に送信するステップと
を具備することを特徴とする方法。
【請求項２４】
前記ＭＢＭＳを支援する周波数領域に関する情報は、前記ＭＢＭＳサービスに対するＭＢＭＳサービス識別子（ＩＤ）と、前記ＭＢＭＳを支援する周波数領域の周波数情報と、前記周波数領域のセル識別子と、前記セル再選択を調整するためのＭＢＭＳオフセットとを含むことを特徴とする請求項２３記載の方法。
【請求項２５】
地理的に同一の地域に相互に異なる周波数領域を有して、マルチメディアブロードキャスト／マルチキャストサービス（ＭＢＭＳ）を提供する移動通信システムにおいて、ＭＢＭＳサービスを支援しない周波数領域に位置した使用者端末機がＭＢＭＳサービスを受信する方法であって、
無線網制御器から前記ＭＢＭＳを支援する周波数領域に関する情報を含むシステム情報ブロック（ＳＩＢ）を受信するステップと、
前記システム情報ブロックの前記ＭＢＭＳを支援する周波数領域に関する情報を確認するステップと、
前記確認の結果に基づいて、前記ＭＢＭＳを支援する周波数領域へのセル再選択を遂行するステップと
を具備することを特徴とする方法。
【請求項２６】
前記システム情報ブロックは、前記使用者端末機が位置した周波数領域が前記ＭＢＭＳサービスを支援可能であるか否かに関する情報をさらに含むことを特徴とする請求項２５記載の方法。
【請求項２７】
マルチメディアブロードキャスト／マルチキャストサービス（ＭＢＭＳ）を提供しない少なくとも１つのＭＢＭＳセルと、前記セルと同一の領域に相互に異なる周波数領域を有して、前記ＭＢＭＳサービスを提供する他のセルを含む移動通信システムにおいて、前記ＭＢＭＳサービスを提供しない任意のセルの使用者端末機が前記ＭＢＭＳサービスを受信する方法であって、
前記使用者端末機が、前記無線網制御器からＭＢＭＳサービスを支援するセルに関する情報を受信するステップと、
前記使用者端末機が、特定のＭＢＭＳサービスを要求した後に、前記受信された情報を確認するステップと、
前記確認された情報に基づいて、前記特定のＭＢＭＳサービスを支援することができるセルを再選択するステップと
を具備することを特徴とする方法。
【請求項２８】
前記受信された情報は、前記特定のＭＢＭＳサービスを支援することができない前記特定のセルに対するシステム情報及び前記ＭＢＭＳサービスを支援することができる隣接セルに関する情報を含むことを特徴とする請求項２７記載の方法。
【請求項２９】
前記受信された情報は、前記使用者端末機が位置したセルがＭＢＭＳサービスを支援可能であるか否かを示す情報と、前記ＭＢＭＳサービスを支援可能な隣接セルで使用された周波数情報と、セル識別子と、セル情報と、オフセットとを含むことを特徴とする請求項２７記載の方法。
【請求項３０】
前記受信された情報は、システム情報ブロックを介してセル別に送信されることを特徴とする請求項２７記載の方法。
【請求項３１】
前記受信された情報は、前記ＭＢＭＳサービスと関連して、周期的に送信された制御メッセージを介してＭＢＭＳサービス別に送信されることを特徴とする請求項２７記載の方法。
【請求項３２】
前記受信された情報は、前記使用者端末機が位置したセルが特定のＭＢＭＳサービスに対して支援可能であるか否かを示す情報と、前記ＭＢＭＳサービスに対して支援可能な隣接セルが前記特定のＭＢＭＳサービスに対して支援可能であるか否かを示す情報とを含むことを特徴とする請求項２７記載の方法。
【請求項３３】
前記特定のＭＢＭＳサービスに対して支援可能な隣接セルが少なくとも１つ以上である場合に、前記使用者端末機は、前記確認の結果に基づいて、前記隣接セルの受信電力を測定して、要求されたＭＢＭＳサービスに対して支援可能な隣接セルを選択することを特徴とする請求項２８記載の方法。
【請求項３４】
マルチメディアブロードキャスト／マルチキャストサービス（ＭＢＭＳ）を提供する移動通信システムにおいて、同一の地域に相互に異なる周波数領域を有して、前記ＭＢＭＳサービスを支援することができない少なくとも１つのセルと前記ＭＢＭＳサービスを支援する他のセルとを含む無線網制御器（ＲＮＣ）が、任意のセルに位置した使用者端末機へ前記ＭＢＭＳサービスを提供する方法であって、
前記無線網制御器が、前記ＭＢＭＳサービスに対するシステム情報ブロック（ＳＩＢ）を前記使用者端末機へ送信するステップと、
前記使用者端末機が、特定のＭＢＭＳサービスに対する要求を受信すると、前記特定のＭＢＭＳサービスに対して支援可能なセルを再選択するステップと、
前記使用者端末機へ前記特定のＭＢＭＳサービスを提供するための無線資源を割り当てるステップと
を具備することを特徴とする方法。
【請求項３５】
前記システム情報ブロックは、前記特定のＭＢＭＳサービスを支援することができない前記任意のセルに対するシステム情報及び前記ＭＢＭＳサービスを支援することができる隣接セルに関する情報を含むことを特徴とする請求項３４記載の方法。
【請求項３６】
前記隣接セルに関する情報は、前記隣接セルで使用された周波数情報と、セル識別子（ＩＤ）と、セル情報と、オフセットとを含むことを特徴とする請求項３５記載の方法。
【請求項３７】
前記セル情報は、前記ＭＢＭＳサービスを支援することができる隣接セルが前記特定のＭＢＭＳサービスを支援可能であるか否かを示す情報を含むことを特徴とする請求項３６記載の方法。
【請求項３８】
前記セル情報は、前記使用者端末機が位置したセルが、前記特定のＭＢＭＳサービスを支援することができるか否かを示す情報をさらに含むことを特徴とする請求項３５記載の方法。
【請求項３９】
前記隣接セルが前記特定のＭＢＭＳサービスを支援することができるか否かを示す情報は、前記ＭＢＭＳサービスが可能なセル情報フィールドを介して送信されることを特徴とする請求項３７記載の方法。
【請求項４０】
前記隣接セルが前記特定のＭＢＭＳサービスを支援することができるか否かを示す情報は、ＭＢＭＳオフセットフィールドを介して送信されることを特徴とする請求項３７記載の方法。
【発明の詳細な説明】
【技術分野】
【０００１】
本発明は、パケットデータサービスに関し、特に、１つのパケットデータに対して、サービスの支援が可能なセル領域と、サービスの支援が可能でないセル領域とが重複的に存在する場合に、上記パケットデータサービスの支援が可能なセルに関する情報を使用者端末機へ送信して、上記パケットデータサービスを使用者端末機へ提供する方法に関する。
【背景技術】
【０００２】
図１は、一般的な移動通信システムの構成を概略的に示す図である。図１を参照すると、上記移動通信システムは、ＵＭＴＳ（Ｕｎｉｖｅｒｓａｌ  Ｍｏｂｉｌｅ  Ｔｅｒｒｅｓｔｒｉａｌ  Ｓｙｓｔｅｍ）移動通信システムであって、コアネットワーク（Ｃｏｒｅ  Ｎｅｔｗｏｒｋ：以下、‘ＣＮ’と称する）１００と、複数の無線ネットワークサブシステム（Ｒａｄｉｏ  Ｎｅｔｗｏｒｋ  Ｓｕｂｓｙｓｔｅｍ：以下、‘ＲＮＳ’と称する）１１０、１２０と、使用者端末機（Ｕｓｅｒ  Ｅｑｕｉｐｍｅｎｔ：以下、‘ＵＥ’と称する）１３０とから構成される。ＲＮＳ１１０及びＲＮＳ１２０の各々は、無線ネットワーク制御器（Ｒａｄｉｏ  Ｎｅｔｗｏｒｋ  Ｃｏｎｔｒｏｌｌｅｒ：以下、‘ＲＮＣ’と称する）１１１及び１１２と複数の基地局（Ｎｏｄｅ Ｂ）とから構成される。例えば、ＲＮＳ１１０は、ＲＮＣ１１１と、基地局１１３と、基地局１１５とから構成され、ＲＮＳ１２０は、ＲＮＣ１１２と、基地局１１４と、基地局１１６とから構成される。
【０００３】
そして、ＲＮＣ１１１及び１１２は、その動作に応じて、サービングＲＮＣ（Ｓｅｒｖｉｎｇ  ＲＮＣ：以下、‘ＳＲＮＣ’と称する）と、ドリフトＲＮＣ（Ｄｒｉｆｔ  ＲＮＣ：以下、‘ＤＲＮＣ’と称する）と、制御ＲＮＣ（Ｃｏｎｔｒｏｌｌｉｎｇ  ＲＮＣ：以下、‘ＣＲＮＣ’と称する）とに分類される。上記ＳＲＮＣは、各ＵＥに関する情報を管理し、ＣＮ１００とのデータ送信を制御するＲＮＣである。ＤＲＮＣは、ＵＥのデータが上記ＳＲＮＣでない他のＲＮＣを通してＳＲＮＣへ送受信される場合に、上記他のＲＮＣとなる。上記ＣＲＮＣは、各基地局を制御するＲＮＣである。
【０００４】
例えば、図１において、ＵＥ１３０に関する情報をＲＮＣ１１１が管理していると、ＲＮＣ１１１は、ＵＥ１３０に対するＳＲＮＣとして動作し、ＵＥ１３０が移動して、ＵＥ１３０のデータがＲＮＣ１１２を通して送受信されると、ＲＮＣ１１２は、ＵＥ１３０のＤＲＮＣとなり、ＵＥ１３０と通信している基地局１１３を制御するＲＮＣ１１１は、基地局１１３のＣＲＮＣとなる。
【０００５】
ここで、ＲＮＣ１１１及び１１２は、ＩｕｂインターＱフェースを介してそれぞれの基地局１１３乃至１１６に接続されており、ＲＮＣ１１１は、Ｉｕｒインターフェースを介してＲＮＣ１１２に接続されている。図１には図示していないが、上記ＵＥ１３０は、Ｕｕインターフェースを介してＵＴＲＡＮに接続されている。
【０００６】
上記ＲＮＣは、自身が管理する複数の基地局に無線資源を割り当て、上記各基地局は、上記ＲＮＣから割り当てられた無線資源を上記ＵＥへ提供する。このとき、上記無線資源は、セル別に構成される。すなわち、上記基地局が提供する無線資源は、上記基地局が管理する特定のセルに対する無線資源を意味する。上記ＵＥは、上記基地局が管理する特定のセルに関する無線資源を用いて無線チャンネルを設定し、上記設定された無線チャンネルを用いてデータを送受信する。従って、上記ＵＥは、各セル別で構成される物理チャンネルのみを認識するので、基地局とセルとの区別は無意味である。以下では、上記‘基地局’と‘セル’とを混用して使用する。
【０００７】
マルチキャスティングマルチメディア通信を支援するために、１つのデータソースから複数のＵＥへサービスを提供するブロードキャスト／マルチキャストサービス（Ｂｒｏａｄｃａｓｔ／Ｍｕｌｔｉｃａｓｔ  Ｓｅｒｖｉｃｅ）がある。上記放送／マルチキャストサービスは、メッセージ中心のサービスであるセルブロードキャストサービス（Ｃｅｌｌ  Ｂｒｏａｄｃａｓｔ  Ｓｅｒｖｉｃｅ：以下、‘ＣＢＳサービス’と称する）と、実時間映像、音声、静止映像、及び文字などのマルチメディア形態を支援するマルチメディアブロードキャスト／マルチキャストサービスとに区分することができる。
【０００８】
図２は、移動通信システムにおいて、ＭＢＭＳサービスを提供するためのネットワークの構成を概略的に示す。
【０００９】
図２を参照すると、マルチキャスト／ブロードキャストサービスセンター（Ｂｒｏａｄｃａｓｔ／Ｍｕｌｔｉｃａｓｔ−Ｓｅｒｖｉｃｅ  Ｃｅｎｔｅｒ：以下、‘ＢＭ−ＳＣ’と称する）２１０は、ＭＢＭＳデータストリーム（ｓｔｒｅａｍ）を提供するソース（ｓｏｕｒｃｅ）であり、ＢＭ−ＳＣ２１０は、ＭＢＭＳサービスに対するストリームをスケジューリング（ｓｃｈｅｄｕｌｉｎｇ）して送信ネットワーク（ｔｒａｎｓｉｔ  Ｎ／Ｗ）２２０へ伝達する。送信ネットワーク２２０は、ＢＭ−ＳＣ２１０とサービスパケット無線サービス支援ノード（Ｓｅｒｖｉｎｇ  Ｇｐｒｓ  Ｓｕｐｐｏｒｔ  Ｎｏｄｅ：以下、‘ＳＧＳＮ’と称する）２３０との間に存在するネットワーク（ｎｅｔｗｏｒｋ）を意味し、ＢＭ−ＳＣ２１０から伝達されたＭＢＭＳサービスに対するストリームをＳＧＳＮ２３０へ伝達する。ここで、ＳＧＳＮ２３０は、ゲートウェイパケット無線サービス支援ノード（Ｇａｔｅｗａｙ  Ｇｐｒｓ  Ｓｕｐｐｏｒｔ  Ｎｏｄｅ：以下、‘ＧＧＳＮ’と称する）と外部ネットワークとから構成できる。送信ネットワーク２２０からＭＢＭＳサービスに対するストリームの伝達を受けたＳＧＳＮ２３０は、ＭＢＭＳサービスの受信を望むユーザ、すなわち、ＵＥのＭＢＭＳ関連サービスを制御する。例えば、加入者のそれぞれのＭＢＭＳサービス課金関連データを管理し、ＭＢＭＳデータを特定の無線ネットワーク制御器（Ｒａｄｉｏ  Ｎｅｔｗｏｒｋ  Ｃｏｎｔｒｏｌｌｅｒ：ＲＮＣ）２４０へ選別的に送信するためのサービスのようなＭＢＭＳ関連サービスを制御する。また、ＳＧＳＮ２３０は、上記ＭＢＭＳサービスＸに関するＳＧＳＮサービスコンテキスト（ＳＥＲＶＩＣＥ  ＣＯＮＴＥＸＴ）を構成して管理し、上記ＭＢＭＳサービスに対するデータストリームをさらにＲＮＣ２４０へ伝達する。
【００１０】
ＲＮＣ２４０は、複数のＮｏｄｅ Ｂを制御し、自身が管理しているＮｏｄｅ Ｂのうち、上記ＭＢＭＳサービスを要求したＵＥが存在するＮｏｄｅ Ｂに上記ＭＢＭＳサービスデータを送信する。また、ＲＮＣ４０は、上記ＭＢＭＳサービスを提供するために設定された無線チャンネル（ｒａｄｉｏ  ｃｈａｎｎｅｌ）を制御し、また、ＳＧＳＮ２３０から伝達されたＭＢＭＳサービスに対するデータストリームを用いて、上記ＭＢＭＳサービスＸに関するＲＮＣサービスコンテキストを構成して管理する。
【００１１】
このとき、Ｎｏｄｅ Ｂ１（すなわち、セル１）２６０は、ＵＥ１ ２６１、ＵＥ２ ２６２、ＵＥ３ ２６３が位置したセルであり、Ｎｏｄｅ Ｂ２（すなわち、セル２）２７０は、ＵＥ４ ２７１、ＵＥ５ ２７２が位置すると仮定し、Ｎｏｄｅ Ｂ１ ２６０とＵＥ ２６１乃至２６３との間には、上記ＭＢＭＳサービスを提供するために、１つの無線チャンネルが設定される。
【００１２】
そして、図２に図示していないが、ホーム位置登録器（ＨＬＲ；Ｈｏｍｅ  Ｌｏｃａｔｉｏｎ  Ｒｅｇｉｓｔｅｒ）は、ＳＧＳＮ２３０に接続され、上記ＭＢＭＳサービスのためのユーザの認証を遂行する。
【００１３】
以下、ＭＢＭＳサービスを支援するノード間に遂行される動作について説明する。図３は、ＲＮＣとＭＢＭＳサービスの受信を望むＵＥとの間でＭＢＭＳサービスを遂行する手順を示すメッセージフロー図である。
【００１４】
一般に、ＭＢＭＳサービスを遂行する手順は、サービス案内（Ａｎｎｏｕｎｃｅｍｅｎｔ）、加入（Ｊｏｉｎｉｎｇ）、サービス通知（Ｎｏｔｉｆｉｃａｔｉｏｎ）、及び無線ベアラー（Ｒａｄｉｏ  Ｂｅａｒｅｒ：ＲＢ）設定過程のような４つの過程が順次に行われる。以下、上記４つの過程について説明する。このとき、上記ＲＮＣは、基地局を通して上記ＭＢＭＳサービスを要請した該当ＵＥへ上記ＭＢＭＳサービスを提供する。図３では、上記基地局を図示していないが、上記ＭＢＭＳサービスが上記基地局を介して遂行されることは明らかである。上記ＭＢＭＳサービスのために送信されるＭＢＭＳ制御メッセージについても説明する。
【００１５】
図３を参照すると、上記ＵＥ３００は、上記当該ＭＢＭＳサービスを受けようとするＵＥであり、上記ＲＮＣ３０２は、上記ＭＢＭＳサービスを伝送するＲＮＣである。４つのステップは、案内（Ａｎｎｏｕｎｃｅｍｅｎｔ）、加入、通知（Ｎｏｔｉｆｉｃａｔｉｏｎ）、及び無線ベアラー（Ｒａｄｉｏ Ｂｅａｒｅｒ）設定過程で順次行われる。以下、上記４つのステップについて図３を参照して説明する。
【００１６】
図３を参照すると、ステップ３３１で、ＳＧＳＮ３０４は、サービス案内過程を介して、特定のＵＥ３００へ特定のＭＢＭＳサービスに関する基本的な情報、例えば、上記ＭＢＭＳサービス識別子（ＩＤ）、上記ＭＢＭＳサービスの有効性に関する情報、すなわち、上記特定のＭＢＭＳサービスの開始時間情報及び持続時間を知らせる。上記ＭＢＭＳサービスの案内過程を介して所望のＭＢＭＳサービスが存在すると、ステップ３４１で、ＵＥ３００は、サービス加入（Ｊｏｉｎｉｎｇ）過程を遂行して、ＳＧＳＮ３０４へ上記ＭＢＭＳサービスを要請する。
【００１７】
ステップ３４１の加入過程において、ＵＥ３００は、ＳＧＳＮ３０４へサービス加入要求メッセージ（Ｊｏｉｎｉｎｇ  Ｒｅｑｕｅｓｔ  Ｍｅｓｓａｇｅ）を送信する。上記加入要求メッセージは、ＳＧＳＮ３０４が送信したＭＢＭＳサービスリストのうち、ＵＥ３００がサービスの受信を望む特定のＭＢＭＳサービスに対する識別コードと、上記ＭＢＭＳサービスを望むＵＥの識別子（ＵＥ ＩＤ）とを含む。これに従って、ＳＧＳＮ３０４は、ＭＢＭＳサービスを要求したＵＥ３００に対して認証を遂行し、上記認証の結果として、ＵＥ３００へ上記ＭＢＭＳサービスの受信が可能であるか否かを通知する。また、ＳＧＳＮ３０４は、ステップ３４１で、上記特定のＭＢＭＳサービスの受信を望むＵＥのリスト及び上記ＵＥの位置情報を記憶する。
【００１８】
その後に、上記ＭＢＭＳサービスの開始を示すメッセージがＢＭ−ＳＣから受信されると、ステップ３５１で、ＳＧＳＮ３０４は、ＵＥ３００が位置したセルを制御するＲＮＣ３０２へセッションスタート（Ｓｅｓｓｉｏｎ  Ｓｔａｒｔ）メッセージを送信する。
【００１９】
ステップ３５２で、ＲＮＣ３０２は、通知メッセージを通して、上記ＭＢＭＳサービスが存在することをＵＥ３００へ通知する。すなわち、ＲＮＣ３０２は、上記通知メッセージをＳ−ＣＣＰＣＨ（Ｓｅｃｏｎｄａｒｙ−Ｃｏｍｍｏｎ  Ｃｏｎｔｒｏｌ  Ｃｈａｎｎｅｌ）のような共通チャンネル（Ｃｏｍｍｏｎ  Ｃｈａｎｎｅｌ）に割り当て、ＵＥ３００へ送信する。上記通知メッセージは、ＳＧＳＮ３０４がＭＢＭＳサービスを望む該当ＵＥ３００に上記ＭＢＭＳサービスの提供を開始することを通知するために、ＭＢＭＳ制御チャンネル（ＭＢＭＳ  Ｃｏｎｔｒｏｌ  Ｃｈａｎｎｅｌ）を介して送信される。また、上記通知メッセージは、複数のＵＥを呼び出すメッセージであって、グループページング（Ｇｒｏｕｐ  Ｐａｇｉｎｇ）過程を遂行する。ステップ３５２でのグループページング過程は、個々のページング過程とは区別される。
【００２０】
ステップ３６１で、ＵＥ３００は、上記通知メッセージに応じて、ＳＧＳＮ３０４へ通知応答メッセージ（Ｎｏｔｉｆｉｃａｔｉｏｎ  Ｒｅｓｐｏｎｓｅ  Ｍｅｓｓａｇｅ）を送信する。ＲＮＣ３０２は、上記通知応答メッセージを通して、各セル別に上記ＭＢＭＳサービスの受信を望むＵＥの数を把握し、該当セルに対する無線チャンネルの種類を決定することができる。このとき、上記ＭＢＭＳサービスの受信を望むＵＥの数が、あらかじめ定められた臨界値よりも大きいか、または同一である場合に、ＲＮＣ３０２は、一対多（Ｐｏｉｎｔ−Ｔｏ−Ｍｕｌｔｉｐｏｉｎｔ）送信、すなわち、共通チャンネルを介して上記ＭＢＭＳサービスを提供する。一方、上記ＭＢＭＳサービスの受信を望むＵＥの数が、あらかじめ定められた臨界値よりも小さい場合に、ＲＮＣ３０２は、ＵＥ別に、一対一（Ｐｏｉｎｔ−Ｔｏ−Ｐｏｉｎｔ）送信、すなわち、専用チャンネルを介してＵＥ別に上記ＭＢＭＳサービスを提供することができる。
【００２１】
ステップ３７１で、ＲＮＣ３０２は、上記ＭＢＭＳサービスを提供するために、無線ベアラーに関する情報をＭＢＭＳ制御チャンネル（ＭＢＭＳ  Ｃｏｎｔｒｏｌ  ＣＨａｎｎｅｌ：以下、‘ＭＣＣＨ'と称する）を介してＵＥ３００へ送信する。上記ＭＢＭＳ ＲＢ情報に基づいて、ＲＮＣ３０２とＵＥ３００との間に無線ベアラーを設定する。上記ＲＢ設定過程は、上記ＭＢＭＳサービスを提供するために、無線チャンネルに関する情報を関連装置へ送信し、これによって、ＵＥ３００は、上記ＭＢＭＳ ＲＢ情報を用いて、上記送信されたＭＢＭＳサービスをエラーなしに復元することができる。上記ＭＢＭＳ ＲＢ情報には、無線チャンネル情報、例えば、直交可変拡散符号（Ｏｒｔｈｏｇｏｎａｌ  Ｖａｒｉａｂｌｅ  Ｓｐｒｅａｄｉｎｇ  Ｆａｃｔｏｒ：ＯＶＳＦ）情報、送信フォーマット情報、無線リンク制御（Ｒａｄｉｏ  Ｌｉｎｋ  Ｃｏｎｔｒｏｌ：ＲＬＣ）情報、及びパケットデータ収束制御（Ｐａｃｋｅｔ  Ｄａｔａ  Ｃｏｎｖｅｒｇｅｎｃｅ  Ｐｒｏｔｏｃｏｌ：ＰＤＣＰ）情報などが含まれる。
【００２２】
このとき、上記ＭＢＭＳチャンネルのタイプがＰｔＰ形態で決定されると、上記ＭＢＭＳ ＲＢ情報は、専用制御チャンネル（Ｄｅｄｉｃａｔｅｄ  Ｃｏｎｔｒｏｌ  Ｃｈａｎｎｅｌ）を介してＵＥ３００へ送信される。しかしながら、上記ＭＢＭＳチャンネルのタイプがＰｔＭ形態として決定されると、上記ＭＢＭＳ ＲＢ情報は、上記ＭＣＣＨを介してＵＥ３００へ送信される。
また、上記ＭＣＣＨは、上記ＭＢＭＳサービスに関連した制御情報が提供されるチャンネルであり、上記ＭＣＣＨの正確な特性に関しては、まだ検討中であり、確実に決定されたことはない。今までの検討によれば、ＭＣＣＨは次のような特徴を有すると見込まれる。
【００２３】
１. ＭＣＣＨは、セル当たり一つが構成される。
２. ＭＣＣＨは、Ｓ−ＣＣＰＣＨのような共通物理チャンネルを介して伝送される。
３. ＵＥは、セル毎に割当てられているＭＣＣＨに関する情報を、システム情報として取得することができる。
【００２４】
ステップ３８１で、ＲＮＣ３０２は、ＳＧＳＮ３０４から提供されたＭＢＭＳデータを上記ＭＢＭＳ ＲＢを介して送信し、ＵＥ３００は、上記ＭＢＭＳ ＲＢを介して送信されたＭＢＭＳデータを受信する。
【００２５】
図４は、１つの領域に複数の周波数割当領域（Ｆｒｅｑｕｅｎｃｙ  Ａｒｅａ：ＦＡ）が重なる構成を示す図である。図４を参照すると、１つのＲＮＣは、少なくとも１つ以上のＦＡを有し、上記ＦＡを介してＭＢＭＳデータを提供する。図４に示すような参照符号４０１、４０２、４０３、４０４は、地理的に同一の地域であり、相互に異なるＦＡを使用して、ＭＢＭＳサービスを支援するセルを示す。上記４個のＦＡに位置した少なくとも１つ以上のＵＥは、上記ＦＡから送信されたＭＢＭＳデータの支援を受ける。すなわち、上記ＦＡは、地理的な概念では１つの領域であるが、上記ＭＢＭＳデータを支援する周波数の観点では、相互に異なる４個のサービスセルを示す。上述したように、従来では、１つの領域に対して複数のＦＡが重複して存在し、上記複数のＦＡの各々は、少なくとも１つ以上のＵＥへ同一のＭＢＭＳデータを提供する。
【００２６】
このとき、送信されるＭＢＭＳデータは、同一のＭＢＭＳデータであり、上記ＭＢＭＳデータの送信のために、上記複数のＦＡに別途に無線資源を割り当て、その結果、制限された無線資源の浪費をもたらす、という問題点があった。
【００２７】
また、上記複数のＦＡのうちで、特定のＦＡで上記ＭＢＭＳサービスが不可能である場合に、上記ＭＢＭＳサービスが不可能なＦＡに含まれているＵＥは、上記ＭＢＭＳサービスを受信することができない。例えば、ＦＡ２ ４０２が上記ＭＢＭＳサービスを支援することができるが、ＦＡ１ ４０１、ＦＡ３ ４０３、及びＦＡ４ ４０４が上記ＭＢＭＳサービスを支援することができない場合には、ＦＡ１ ４０１、ＦＡ３ ４０３、及びＦＡ４ ４０４に含まれているＵＥは、上記ＭＢＭＳサービスを受信することができない、という問題点があった。
【００２８】
従って、上記ＭＢＭＳサービスを支援することができないＦＡに含まれているＵＥに対して、上記ＭＢＭＳサービスを提供するための方法が要求される。
【発明の開示】
【発明が解決しようとする課題】
【００２９】
上記背景に鑑みて、本発明の目的は、移動通信システムにおいて、パケットデータサービスを支援しないセルに位置しているＵＥが、上記パケットデータサービスを受信する方法を提供することにある。
【００３０】
本発明の他の目的は、同一の領域に位置し、相互に異なる周波数を有するセルのうちで、パケットデータサービスを提供するセルに関する情報を任意のセルに位置したＵＥへシステム情報として送信する方法を提供することにある。
【００３１】
本発明のさらなる目的は、同一の領域に位置し、相互に異なる周波数を有するセルのうちで、パケットデータサービスを提供するセルに関する情報を任意のセルに位置したＵＥへ制御チャンネルを介して送信する方法を提供することにある。
【００３２】
本発明のもう一つの目的は、同一の領域に位置し、相互に異なる周波数を有するセルのうちで、特定のセルに位置したＵＥへ隣接基地局に関する情報を送信する方法を提供することにある。
【００３３】
本発明のさらに他の目的は、同一の領域に位置し、相互に異なる周波数を有するセルのうちで、特定のセルに位置したＵＥが上記ＭＢＭＳサービスに対する所望の周波数帯域へのセル再選択を遂行する方法を提供することにある。
【００３４】
本発明のそれ以上の他の目的は、移動通信システムにおいて、ＭＢＭＳサービスを受信しているＵＥのための効率的な周波数間の測定及び上記周波数間のセル再選択を遂行する方法を提供することにある。
【課題を解決するための手段】
【００３５】
このような目的を達成するために、本発明の第１の特徴によれば、同一の地域に相互に異なる周波数領域を有して、マルチメディアブロードキャスト／マルチキャストサービス（ＭＢＭＳ）を支援する移動通信システムにおいて、上記ＭＢＭＳサービスを受信するために、使用者端末機がセルを選択する方法は、無線網制御器が上記ＭＢＭＳを支援するセルへのセル再選択を遂行するために、優先順位を調整するＭＢＭＳオフセットを含むＭＢＭＳを支援するセルに関する情報を使用者端末機へ送信するステップと、上記使用者端末が、上記ＭＢＭＳを支援するセルに関する情報を用いてセル再選択を遂行し、上記再選択されたセルから上記ＭＢＭＳサービスを受信するステップとを具備することを特徴とする。
【００３６】
本発明の第２の特徴によれば、同一の地域に相互に異なる周波数領域を有して、マルチメディアブロードキャスト／マルチキャストサービス（ＭＢＭＳ）を提供する移動通信システムにおいて、ＭＢＭＳのためのセルを再選択する方法は、無線網制御器が、隣接セルがＭＢＭＳサービスを支援可能であるか否かを示す識別情報を含むシステム情報ブロック（ＳＩＢ）を使用者端末機へ送信するステップと、上記使用者端末が、上記システム情報ブロックを用いて、ＭＢＭＳを支援する上記セルへのセル再選択を遂行するステップとを具備することを特徴とする。
【００３７】
本発明の第３の特徴によれば、同一の地域に相互に異なる周波数領域を有して、マルチメディアブロードキャスト／マルチキャストサービス（ＭＢＭＳ）を提供する移動通信システムにおいて、上記ＭＢＭＳサービスのためのセルを再選択する方法は、無線網制御器が、隣接セルがＭＢＭＳサービスを支援可能であるか否かを示す識別情報を制御メッセージを通じて使用者端末機へ周期的に送信するステップと、上記使用者端末が、上記制御メッセージを通じて受信された識別情報を用いて、ＭＢＭＳを支援する上記セルへのセル再選択を遂行するステップとを具備することを特徴とする。
【００３８】
本発明の第４の特徴によれば、同一の地域に相互に異なる周波数領域を有して、マルチメディアブロードキャスト／マルチキャストサービス（ＭＢＭＳ）を提供する移動通信システムにおいて、使用者端末機が所望の周波数帯域へのセル再選択を遂行する方法は、無線網制御器から、ＭＢＭＳサービスＩＤと、上記ＭＢＭＳサービスに対する所望の周波数に関する情報と、上記セル再選択を調整するためのＭＢＭＳオフセットとを含むメッセージを受信するステップと、上記メッセージに含まれた情報を用いて周波数間の測定を遂行するステップと、上記ＭＢＭＳサービスを支援するセルに対する所望の周波数帯域が現在のセルに対する周波数帯域よりも受信電力がさらに高い場合に、上記セル再選択を遂行するステップとを具備することを特徴とする。
【００３９】
本発明の第５の特徴によれば、地理的に同一の地域に相互に異なる周波数領域を有して、マルチメディアブロードキャスト／マルチキャストサービス（ＭＢＭＳ）を提供する移動通信システムにおいて、無線網制御器がＭＢＭＳを支援しない周波数領域（ＦＡ）に位置した使用者端末機へＭＢＭＳサービスを支援する方法は、上記無線網制御器が、上記ＭＢＭＳを支援する周波数領域に関する情報を含むシステム情報ブロックを上記使用者端末機へ送信するステップと、上記ＭＢＭＳを支援する周波数領域に関する情報を含むメッセージを上記使用者端末機へ周期的に送信するステップとを具備することを特徴とする。
【００４０】
本発明の第６の特徴によれば、地理的に同一の地域に相互に異なる周波数領域を有して、マルチメディアブロードキャスト／マルチキャストサービス（ＭＢＭＳ）を提供する移動通信システムにおいて、ＭＢＭＳサービスを支援しない周波数領域に位置した使用者端末機がＭＢＭＳサービスを受信する方法は、無線網制御器から上記ＭＢＭＳを支援する周波数領域に関する情報を含むシステム情報ブロック（ＳＩＢ）を受信するステップと、上記システム情報ブロックの上記ＭＢＭＳを支援する周波数領域に関する情報を確認するステップと、上記確認の結果に基づいて、上記ＭＢＭＳを支援する周波数領域へのセル再選択を遂行するステップとを具備することを特徴とする。
【００４１】
本発明の第７の特徴によれば、マルチメディアブロードキャスト／マルチキャストサービス（ＭＢＭＳ）を提供しない少なくとも１つのＭＢＭＳセルと、上記セルと同一の領域に相互に異なる周波数領域を有して、上記ＭＢＭＳサービスを提供する他のセルを含む移動通信システムにおいて、上記ＭＢＭＳサービスを提供しない任意のセルの使用者端末機が上記ＭＢＭＳサービスを受信する方法は、上記使用者端末機が、上記無線網制御器からＭＢＭＳサービスを支援するセルに関する情報を受信するステップと、上記使用者端末機が、特定のＭＢＭＳサービスを要求した後に、上記受信された情報を確認するステップと、上記確認された情報に基づいて、上記特定のＭＢＭＳサービスを支援することができるセルを再選択するステップとを具備することを特徴とする。
【００４２】
本発明の第８の特徴によれば、マルチメディアブロードキャスト／マルチキャストサービス（ＭＢＭＳ）を提供する移動通信システムにおいて、同一の地域に相互に異なる周波数領域を有して、上記ＭＢＭＳサービスを支援することができない少なくとも１つのセルと上記ＭＢＭＳサービスを支援する他のセルとを含む無線網制御器（ＲＮＣ）が、任意のセルに位置した使用者端末機へ上記ＭＢＭＳサービスを提供する方法は、上記無線網制御器が、上記ＭＢＭＳサービスに対するシステム情報ブロック（ＳＩＢ）を上記使用者端末機へ送信するステップと、上記使用者端末機が、特定のＭＢＭＳサービスに対する要求を受信すると、上記特定のＭＢＭＳサービスに対して支援可能なセルを再選択するステップと、上記使用者端末機へ上記特定のＭＢＭＳサービスを提供するための無線資源を割り当てるステップとを具備することを特徴とする。
【発明の効果】
【００４３】
本発明は、同一の領域に対して、パケットデータサービスを支援しないセルと上記パケットデータサービスを支援するセルとが重複して位置する場合に、上記パケットデータサービスを支援しないセルに位置したＵＥに対して、上記パケットデータサービスを支援するセルに関する無線資源情報を送信し、これによって、上記パケットデータサービスをさらに効率的に支援することができる。また、上記ＵＥへ隣接セルに関する情報及びサービングセルに関する情報を送信することによって、上記ＵＥの移動性を保障し、セル選択をさらに効率的に遂行することができる、という効果を有する。
【発明を実施するための最良の形態】
【００４４】
以下、本発明の好適な一実施例を添付図面を参照しつつ詳細に説明する。下記の説明において、本発明の要旨のみを明瞭にする目的で、関連した公知の機能又は構成に関する具体的な説明は省略する。
【００４５】
本発明は、地理的に同一の領域をサービスする少なくとも１つ以上の相互に異なる周波数領域（ＦＡ）に位置した複数のＵＥにＭＢＭＳサービスを支援する方法を提案する。また、上記ＭＢＭＳサービスを支援しないＦＡに位置したＵＥが、ＭＢＭＳサービスを受信する方法を提案する。以下、図５では、同一の地域に重畳されているＦＡのうちで、ＭＢＭＳサービスのためのＦＡが１つである場合に、ＭＢＭＳサービスを支援しないＦＡに位置したＵＥが、上記ＭＢＭＳサービスを受信する方法について説明する。
【００４６】
図５は、本発明の実施例に従って、ＭＢＭＳサービスを支援するＦＡに関する情報をＵＥへ提供する手順を示すメッセージフロー図である。図５を参照すると、参照符号５０１は、ＭＢＭＳサービスを提供するＦＡ（以下、説明の便宜上、‘ＭＢＭＳ ＦＡ’と称する）を示し、参照符号５０２及び５０３は、ＭＢＭＳサービスを提供しないＦＡ（以下、説明の便宜上、‘ｎｏｎ−ＭＢＭＳ ＦＡ’と称する）を示す。参照符号５０１、５０２、５０３は、同一の地理的な領域に重畳されているＦＡを示し、相互に異なる周波数を使用する。上記各ＦＡは、少なくとも１つ以上のセルから構成できる。本発明では、説明の便宜上、各ＦＡが１つのセルを有すると仮定する。下記の説明において、‘ＦＡ’及び‘セル’は、同一の意味で使用される。参照符号５１１は、ＭＢＭＳサービスの支援のためのＲＮＣを示し、参照符号５２１は、ＳＧＳＮを示す。以下、ＵＥは、アイドルモードにあると仮定する。
【００４７】
ステップ５３１で、ＲＮＣ５１１は、上記ＭＢＭＳサービスを支援するＦＡに関する情報を含むシステム情報ブロック（Ｓｙｓｔｅｍ  Ｉｎｆｏｒｍａｔｉｏｎ  Ｂｌｏｃｋ：以下、ＳＩＢと称する）を上記各ＦＡへ送信する。このとき、ＲＮＣ５１１は、上記ＦＡ５０１、５０２、５０３へ相互に異なるシステム情報を送信する。従って、ステップ５３１で、ＦＡ５０１、５０２、５０３に位置したＵＥは、相互に異なるＳＩＢ情報を有することができる。ＲＮＣ５１１は、上記ＳＩＢにＭＢＭＳ ＦＡ５０１に関する情報を新たに付加し、ＦＡ５０１、５０２、５０３のセルにすべて送信する。
【００４８】
これに関連して、本発明は、上記ＦＡに関する情報を送信するためのＳＩＢを定義する次の３つの方法を提案する。
【００４９】
一番目に、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）標準で現在使用されているＳＩＢを使用しつつ、上記ＭＢＭＳ ＦＡに関する情報を部分的に付加する方法である。
【００５０】
二番目に、上記ＭＢＭＳサービスを支援するための専用ＳＩＢを使用する方法である。
【００５１】
三番目に、ＭＢＭＳ ＦＡに関するオフセット情報を付加する方法である。上記第３の方法は、上記第１の方法に従って、現在３ＧＰＰ標準で使用しているＳＩＢに適用することができ、又は、上記第２の方法に従ってＭＢＭＳ専用ＳＩＢに適用することができる。本発明の実施例では、上記第３の方法は、上記第１の方法に上記オフセット情報を付加する。
【００５２】
・第１の方法
表（１）は、本発明の実施例に従って、現在３ＧＰＰ標準で使用されているＳＩＢに、上記ＭＢＭＳ ＦＡに関する情報を付加するＳＩＢを示す。以下、説明の便宜上、‘ＳＩＢ １１／１２’と称する。上記ＳＩＢ １１／１２は、アイドルモードのＵＥのための情報ＳＩＢ １１及び接続モードのＵＥのための情報ＳＩＢ １２を含む情報を示す。
【００５３】
【表１】
2007502573.tif 000003
【００５４】
上記ＳＩＢ １１／１２は、セルで使用された測定制御情報（Ｍｅａｓｕｒｅｍｅｎｔ  ｃｏｎｔｒｏｌ  ｉｎｆｏｒｍａｔｉｏｎ）を含み、周波数内の測定制御情報（ｉｎｔｒａ−ｆｒｅｑｕｅｎｃｙ  Ｍｅａｓｕｒｅｍｅｎｔ  ｃｏｎｔｒｏｌ  ｉｎｆｏｒｍａｔｉｏｎ）、周波数間の測定制御情報（ｉｎｔｅｒ−ｆｒｅｑｕｅｎｃｙ  Ｍｅａｓｕｒｅｍｅｎｔ  ｃｏｎｔｒｏｌ  ｉｎｆｏｒｍａｔｉｏｎ）、無線接続技術間の測定制御情報（ｉｎｔｅｒ−ＲＡＴ  Ｍｅａｓｕｒｅｍｅｎｔ  ｃｏｎｔｒｏｌ  ｉｎｆｏｒｍａｔｉｏｎ）を含む。
【００５５】
上記測定制御情報は、上記セル内で測定対象となる隣接セルに対するリストであり、周波数内のセル情報リスト（Ｉｎｔｒａ−ｆｒｅｑｕｅｎｃｙ  ｃｅｌｌ  ｉｎｆｏ  ｌｉｓｔ）、周波数間のセル情報リスト（ｉｎｔｅｒ−ｆｒｅｑｕｅｎｃｙ  ｃｅｌｌ  ｉｎｆｏ  ｌｉｓｔ）、及びｉｎｔｅｒ−ＲＡＴセル情報リスト（ｉｎｔｅｒ−ＲＡＴ  ｃｅｌｌ  ｉｎｆｏ  ｌｉｓｔ）を含む。
【００５６】
ここで、上記隣接セルに対するリストは、上記ＭＢＭＳ ＦＡに関する情報を含む。すなわち、上記隣接セルのリストは、上記ＭＢＭＳ ＦＡの周波数情報、セル識別子、及びセル情報を含む。
【００５７】
上記ＦＡの周波数情報は、上りリンク無線周波数チャンネル番号（Ｕｐ−ｌｉｎｋ  ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ：以下、‘ＵＡＲＦＣＮ'と称する）と、下りリンク無線周波数チャンネル番号（Ｄｏｗｎ−ｌｉｎｋ  ＵＡＲＦＣＮ）とから構成される。
【００５８】
上記セル識別子（Ｃｅｌｌ  Ｉｄｅｎｔｉｆｉｃａｔｉｏｎ：以下、‘セルＩＤ'と称する）は、セルごとに固有に割り当てられた識別情報である。すなわち、上記セルＩＤは、１つのＦＡに存在する複数のセルを識別するために、セルごとに割り当てられた固有の値である。本発明では、上記それぞれのＦＡが１つのセルを有すると仮定したので、上記セルＩＤは、上記ＦＡを識別するためのＩＤとしても使用できる。
【００５９】
上記セル情報は、上記ＭＢＭＳ ＦＡに該当するセルの第１の共通パイロットチャンネル（Ｐｒｉｍａｒｙ  Ｃｏｍｍｏｎ  Ｐｉｌｏｔ  Ｃｈａｎｎｅｌ：以下、‘Ｐ−ＣＰＩＣＨ'と称する）の第１のスクランブリングコードを示す。
【００６０】
従って、ＲＮＣ５１１は、上記ＳＩＢ １１／１２情報に、上記ＭＢＭＳサービスが支援されるセルに関する情報、すなわち、表（１）の‘ＭＢＭＳサービス可能セル指示（以下、‘ＭＢＭＳ Ｅｎａｂｌｅｄ Ｃｅｌｌ ｉｎｄｉｃａｔｉｏｎ'と称する）フィールドを付加して、上記ＵＥへ送信する。
【００６１】
このとき、上記ＭＢＭＳ Ｅｎａｂｌｅｄ Ｃｅｌｌ ｉｎｄｉｃａｔｉｏｎフィールドは、整数値で設定が可能である。このとき、上記ＭＢＭＳ Ｅｎａｂｌｅｄ Ｃｅｌｌ ｉｎｄｉｃａｔｉｏｎが‘０’に設定されると、ターゲットセル、すなわち、ＦＡ５０１が、上記ＭＢＭＳサービスを提供しないセル（‘ｎｏｎ−ＭＢＭＳ  ｃｅｌｌ’）であることを示す。一方、上記ＭＢＭＳ  Ｅｎａｂｌｅｄ  Ｃｅｌｌ  ｉｎｄｉｃａｔｉｏｎが、‘１’に設定されると、上記ターゲットセル、すなわち、ＦＡ５０１がＭＢＭＳを提供するセルであり、現在の自身のセルが位置した基地局とは異なる他の基地局に属しているセルであることを示す。また、上記ＭＢＭＳ  Ｅｎａｂｌｅｄ  Ｃｅｌｌ  ｉｎｄｉｃａｔｉｏｎが‘２’に設定されると、上記ターゲットセル、すなわち、ＦＡ５０１が、ＭＢＭＳを提供するセルであり、現在ＵＥが位置した自身のセル（ＦＡ５０２またはＦＡ５０３）に該当する基地局に属しているセルであることを示す。
【００６２】
また、上記‘ＭＢＭＳ  Ｅｎａｂｌｅｄ  Ｃｅｌｌ  ｉｎｄｉｃａｔｉｏｎ’は、表（１）に示すような３ビットの長さを有する代わりに、２ビットの長さで最適化することもできる。この場合に、上記ＵＥが位置した上記自身のセルと、セル再選択を遂行するためのターゲットセルとは、同一の基地局に属するセルであるか否かを区分せず、１つの整数値で示される。
【００６３】
すなわち、上記ＭＢＭＳを提供するセルが、同一の基地局に属しているか否かを区分して、上記ＭＢＭＳ  Ｅｎａｂｌｅｄ  Ｃｅｌｌ  ｉｎｄｉｃａｔｉｏｎを整数１及び整数２で示す代わりに、上記ＭＢＭＳサービスを提供するセルであれば、上記ＭＢＭＳ  Ｅｎａｂｌｅｄ  Ｃｅｌｌ  ｉｎｄｉｃａｔｉｏｎを整数１に設定し、上記ＭＢＭＳサービスを提供しないセルであれば、整数０に設定する。このとき、上記ＵＥが、上記ＭＢＭＳサービスを提供するセルのうちで、いずれのセルへのセル再選択を遂行するかを判定することは、基地局に無関係に周波数測定結果に基づく。すなわち、ＵＥは、上記周波数測定の結果として、もっとも高いランクに位置したセルのうちで、上記ＭＢＭＳ  Ｅｎａｂｌｅｄ  Ｃｅｌｌ  ｉｎｄｉｃａｔｉｏｎが‘１’に設定されているセルを選択する。
【００６４】
さらに図５を参照して、ステップ５３１で、ＦＡ５０２又はＦＡ５０３に位置したＵＥは、該当各セル別に送信された上記ＭＢＭＳ  Ｅｎａｂｌｅｄ  Ｃｅｌｌ  ｉｎｄｉｃａｔｉｏｎフィールドを含む上記ＳＩＢ １１／１２を確認して、隣接セルが上記ＭＢＭＳサービスの提供が可能であるか否かを確認する。すなわち、ＦＡ５０２又はＦＡ５０３に位置した該当ＵＥは、上記ＳＩＢ １１／１２のＭＢＭＳ  Ｅｎａｂｌｅｄ  Ｃｅｌｌ  ｉｎｄｉｃａｔｉｏｎフィールドに基づいて、隣接したＦＡ５０１がＭＢＭＳサービスの支援が可能であるか否か、及び、ＦＡ５０１、すなわち、セルが現在の自身のセルに該当する基地局と同一の基地局に属しているか否かを確認する。
【００６５】
しかしながら、ＦＡ５０１のセルに位置したＵＥは、セル５０１から送信された上記ＳＩＢ １１／１２に基づいて、自身が位置したセルがＭＢＭＳサービスを支援するセルであるか否かを把握することができない。これは、上記ＳＩＢ １１／１２が隣接セルに対するＦＡ情報を含むためである。
【００６６】
従って、上記ＦＡ５０１に位置したＵＥは、上記セル内に送信された他のＳＩＢを介してＭＣＣＨに関する情報を確認して、ＦＡ５０１がＭＢＭＳサービスを支援するセルであるか否かを確認する。又は、ＵＥは、ＳＩＢ １１／１２で使用された上記‘ＭＢＭＳ  Ｅｎａｂｌｅｄ  Ｃｅｌｌ  ｉｎｄｉｃａｔｉｏｎ’情報を上記セル内でＭＢＭＳを支援するＳＩＢ３／４に適用して、現在のセル５０１がＭＢＭＳサービスを支援するセルであるか否かを確認する。
【００６７】
ここで、ＳＩＢ３／４は、アイドルモードのＵＥ及び接続モードのＵＥのためのセル選択（ｃｅｌｌ  ｓｅｌｅｃｔｉｏｎ）及びセル再選択（ｃｅｌｌ  ｒｅｓｅｌｅｃｔｉｏｎ）に関する情報を含む。すなわち、上記ＳＩＢ３／４は、上記ＭＢＭＳ  Ｅｎａｂｌｅｄ  Ｃｅｌｌ  ｉｎｄｉｃａｔｉｏｎフィールドを備えて、現在のセルがＭＢＭＳサービスを支援するセルであるか否かを示す。また、上記ＭＢＭＳ  Ｅｎａｂｌｅｄ  Ｃｅｌｌ  ｉｎｄｉｃａｔｉｏｎフィールドは、他のＳＩＢに含まれることができる。
【００６８】
従って、ＦＡ５０１のセルに位置したＵＥは、上記ＳＩＢ １１／１２で使用された上記‘ＭＢＭＳ  Ｅｎａｂｌｅｄ  Ｃｅｌｌ  ｉｎｄｉｃａｔｉｏｎ’情報をＳＩＢ ３／４で使用されたＭＢＭＳ  Ｅｎａｂｌｅｄ  Ｃｅｌｌ  ｉｎｄｉｃａｔｉｏｎ情報と比較して、ＳＩＢ ３／４のＭＢＭＳ  Ｅｎａｂｌｅｄ  Ｃｅｌｌ  ｉｎｄｉｃａｔｉｏｎが存在すると、ＦＡ５０１が上記ＭＢＭＳサービスを支援するセルであるか否かを確認する。
【００６９】
・第２の方法
表（２）は、本発明の実施例に従って、ＭＢＭＳサービスを支援するための専用ＳＩＢを示す。
【００７０】
【表２】
2007502573.tif 000004
【００７１】
表（２）に示すように、ＲＮＣ５１１は、上記ＭＢＭＳ支援が遂行されるセルに関する情報を含むＭＢＭＳ専用ＳＩＢを設定してセル別に送信する。
【００７２】
上記ＭＢＭＳ専用ＳＩＢで、ＭＢＭＳサービスが可能なセル情報（以下、‘ＭＢＭＳ  ｅｎａｂｌｅｄ  ｃｅｌｌ  ｉｎｆｏ’と称する）フィールドは、現在の自身のセルがＭＢＭＳを支援するセルであるか否かを示す。このとき、上記現在の自身のセルがＭＢＭＳを支援するＦＡに該当すると、上記ＭＢＭＳ  ｅｎａｂｌｅｄ  ｃｅｌｌ  ｉｎｆｏフィールドは、現在自身のセルがＭＢＭＳサービスを支援するセルであるか否かを示し、また、自身のセルに関する情報も含んでいる。
【００７３】
上記ＭＢＭＳ専用ＳＩＢ内の同一のサービス地域指示（Ｓａｍｅ  ｓｅｒｖｉｃｅ  ａｒｅａ  ｉｎｄｉｃａｔｉｏｎ）フィールドは、上記ＭＢＭＳサービスを支援するセルが、現在の自身のセルと同一のサービス地域を有するセルであるか、すなわち、上記ＭＢＭＳサービスを支援するセルが同一の基地局に含まれているセルであるか否かを示す。
【００７４】
上記ＭＢＭＳ専用ＳＩＢ内のセル識別子（Ｃｅｌｌ  ＩＤ）フィールドは、ＭＢＭＳを支援するセルの識別子を示す。
【００７５】
上記ＭＢＭＳ専用ＳＩＢ内の周波数情報フィールドは、上記ＭＢＭＳを支援するＦＡの上りリンク無線周波数チャンネル番号（Ｕｐｌｉｎｋ  ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ：以下、‘ＵＡＲＦＣＮ'と称する）及び下りリンク無線周波数チャンネル番号（Ｄｏｗｎｌｉｎｋ  ＵＡＲＦＣＮ）を示す。
【００７６】
上記ＭＢＭＳ専用ＳＩＢ内のセル情報フィールドは、上記ＭＢＭＳを支援するＦＡに該当するセルの第１の共通パイロットチャンネル（Ｐｒｉｍａｒｙ  Ｃｏｍｍｏｎ  Ｐｉｌｏｔ  Ｃｈａｎｎｅｌ：以下、‘Ｐ−ＣＰＩＣＨ'と称する）の第１のスクランブリングコードを示す。
【００７７】
従って、上記ＭＢＭＳ専用ＳＩＢを受信した任意のＦＡ、すなわち、セルのＵＥは、上記同一のサービス領域指示（ｓａｍｅ  ｓｅｒｖｉｃｅ  ａｒｅａ  ｉｎｄｉｃａｔｉｏｎ）情報が、真の値（Ｔｒｕｅ  ｖａｌｕｅ）を有するセルへＭＢＭＳサービス要請を送信した後に、優先的にセル再選択を遂行する。ステップ５３１で、表（２）に示すようなＭＢＭＳ専用ＳＩＢを確認した後に、ＦＡ５０１、ＦＡ５０２、ＦＡ５０３に位置したそれぞれのＵＥは、現在自身が位置したセルがＭＢＭＳサービスの支援が可能であるか否かを確認する。
【００７８】
・第３の方法
表（３）は、ＭＢＭＳ＿Ｑｏｆｆｓｅｔ＿ｓ，ｎ情報を用いて、ＵＥがセルを再選択する方法を提案する。
【００７９】
以下、説明の便宜上、上記第１の方法で使用されたＳＩＢにＭＢＭＳ＿Ｑｏｆｆｓｅｔ＿ｓ，ｎ情報を適用する。しかしながら、上記第３の方法は、上記第２の方法で使用された上記ＳＩＢに上記ＭＢＭＳ＿Ｑｏｆｆｓｅｔ＿ｓ，ｎ情報を適用することができる。上記第３の方法によるＳＩＢは、表（３）に示すように、ＭＢＭＳ Ｅｎａｂｌｅｄ Ｃｅｌｌ ｉｎｄｉｃａｔｉｏｎフィールドを使用する代わりに、ＭＢＭＳ＿Ｑｏｆｆｓｅｔ＿ｓ，ｎフィールドを含むＳＩＢ １１／１２を示す。
【００８０】
【表３】
2007502573.tif 000005
【００８１】
上記ＭＢＭＳ＿Ｑｏｆｆｓｅｔ＿ｓ，ｎ値は、上記周波数測定の対象である隣接セルが、ＭＢＭＳサービスを支援する場合にのみＳＩＢ １１／１２に含まれたオプショナル値であり、アイドルモード又はＣＥＬＬ＿ＦＡＣＨ、ＣＥＬＬ＿ＰＣＨ、ＵＲＡ＿ＰＣＨの状態にあるＵＥが、セル選択及びセル再選択を遂行する場合に適用された値である。
【００８２】
図５をさらに参照して、ステップ５４１で、ＦＡ５０１、ＦＡ５０２、及びＦＡ５０３のＵＥは、参加手順（サービス要請手順）を遂行する。ステップ５４１の参加手順で、ＦＡ５０１、ＦＡ５０２、ＦＡ５０３のＵＥの各々は、所望の上記ＭＢＭＳサービスに対する識別コードと、上記ＭＢＭＳサービスを望むＵＥ自身の識別子（ＵＥ ＩＤ）をＳＧＳＮ５２１へ送信する。ＳＧＳＮ５２１は、ＦＡ５０１、ＦＡ５０２、ＦＡ５０３のＵＥに対して認証を遂行する。
【００８３】
第１の方法によると、ステップ５５１で、上記ＭＢＭＳを支援しないＦＡ５０２、５０３のＵＥは、上記ＳＩＢ １１／１２のＭＢＭＳ Ｅｎａｂｌｅｄ Ｃｅｌｌ ｉｎｄｉｃａｔｉｏｎフィールドが‘２’に設定されたセルに、優先的にセル再選択を遂行する。このとき、上記ＭＢＭＳ Ｅｎａｂｌｅｄ Ｃｅｌｌ ｉｎｄｉｃａｔｉｏｎフィールドが、２の値を有するセルではないと、ＵＥは、整数１を有するＭＢＭＳを支援するセルに、セル再選択を遂行する。この場合に、上記ＭＢＭＳ Ｅｎａｂｌｅｄ Ｃｅｌｌ ｉｎｄｉｃａｔｉｏｎフィールドは、３ビットの長さを有する。
【００８４】
しかしながら、上記ＭＢＭＳ Ｅｎａｂｌｅｄ Ｃｅｌｌ ｉｎｄｉｃａｔｉｏｎフィールドが、２ビットの長さを有する場合に、上記ＵＥは、周波数測定の結果として、上記ＭＢＭＳサービスを提供するセルのうちで、もっとも高いランクに位置しているセルに、セル再選択を遂行する。このとき、上記ＭＢＭＳを支援しないＦＡ５０２及びＦＡ５０３のＵＥは、同一の地域をサービスし、他の地域をサービスする隣接した任意のＦＡ（セル）よりもＭＢＭＳ ＦＡ５０１に該当する上記セルを優先的に再選択するために、周波数間の測定制御情報（Ｉｎｔｅｒ−ｆｒｅｑｕｅｎｃｙ）よりも、周波数内の測定制御情報（Ｉｎｔｒａ−ｆｒｅｑｕｅｎｃｙ）をまず遂行する。
【００８５】
第２の方法によると、ステップ５５１で、ＭＢＭＳサービスを支援しないＦＡ５０２及び５０３にあるＵＥは、上記ＭＢＭＳ専用ＳＩＢのＭＢＭＳ  ｅｎａｂｌｅｄ  ｃｅｌｌ  ｉｎｆｏフィールドを介してＭＢＭＳを支援するセルに関する情報を確認する。また、上記同一のサービス領域指示フィールドを確認し、上記ＭＢＭＳを支援するセルが、自身が位置したセルと同一の基地局に属しているセルであるか否かを把握して、上記同一の基地局に属するセルにセルの選択を遂行する。このとき、上記ＭＢＭＳを支援するＦＡに該当するセルへのセル再選択を遂行するためには、ＵＥは、受信電力の測定結果を満足させなければならない。
【００８６】
第３の方法によると、ステップ５５１で、ＭＢＭＳサービスを支援しないＦＡ５０２及び５０３にあるＵＥは、ステップ５４１で、ＭＢＭＳサービスに参加した後に、ＭＢＭＳサービスコンテキストを有している場合に、式（３）を用いてセルを再選択する。
【００８７】
下記式（１）及び式（２）は、現在３ＧＰＰ標準で定義しているＵＥのセル再選択のために適用される式である。
【００８８】
すなわち、ＵＥがセルを再選択する場合に、周波数測定の結果として、隣接セルがセル選択のためのＳ ｃｒｉｔｅｒｉａを満足すると、Ｒ ｃｒｉｔｅｒｉａによって順次にランクされる。現在の３ＧＰＰ標準では、Ｒ ｃｒｉｔｅｒｉａのための式を次のように定義する。下記式で使用されたそれぞれのパラメータは、３ＧＰＰ ＴＳ２５．３０４に定義されているので、詳細な説明は省略する。
【００８９】
【数１】
2007502573.tif 000006
【００９０】
【数２】
2007502573.tif 000007
【００９１】
ここで、Ｒｓは、現在のサービングセルのＲ ｃｒｉｔｅｒｉｏｎを示し、Ｒｎは、ＳＩＢ １１／１２に含まれた隣接セルを示す。上記Ｒｎは、上述したように、Ｓ ｃｒｉｔｅｒｉｏｎを満足する隣接セルに対してのみ適用される。
【００９２】
このとき、上記ＭＢＭＳを支援するセルを再選択するために、表（３）のＭＢＭＳ＿Ｑｏｆｆｓｅｔ＿ｓ，ｎ値が式（２）のＲ ｃｒｉｔｅｒｉａに適用されると、式（３）の通りである。
【００９３】
【数３】
2007502573.tif 000008
【００９４】
すなわち、ＵＥが上記ＭＢＭＳサービスを受信するために、ステップ５４１で、ＭＢＭＳサービスに参加した後に、上記ＭＢＭＳサービスコンテキストを有する場合に、ＵＥは、式（３）を使用してセルを再選択する。すなわち、上記ＭＢＭＳ＿Ｑｏｆｆｓｅｔ＿ｓ，ｎ値を含むＳＩＢ １１／１２を送信するＦＡ５０１は、上記ＭＢＭＳ＿Ｑｏｆｆｓｅｔ＿ｓ，ｎ値を含んでいないＳＩＢ １１／１２を送信するＦＡ５０２及びＦＡ５０３よりも大きいＲｎ値を有する。
【００９５】
従って、ステップ５５１で、上記ＭＢＭＳを支援しないＦＡ５０２及びＦＡ５０３にあるＵＥは、上記ＭＢＭＳ＿Ｑｏｆｆｓｅｔ＿ｓ，ｎ値を含むＳＩＢ １１／１２を有するセルを再選択する。このような方式にて、ＵＥがセルの資源に従ってセルを再選択する場合に、ＭＢＭＳ＿Ｑｏｆｆｓｅｔ＿ｓ，ｎ値を用いて、ＭＢＭＳサービスが提供されるセルの選択確率を増加させ、これによって、上記ＵＥが移動する間に、上記ＭＢＭＳサービスの連続性を保障する。
【００９６】
すなわち、ＭＢＭＳサービスを提供するセルに対して、ＭＢＭＳオフセット値をセル再選択のためのＲ ｃｒｉｔｅｒｉａ式に反映することによって、ＭＢＭＳサービスを提供するセルは、上記ＭＢＭＳサービスを提供しないセルよりも相対的にさらに高いランクに位置する。
【００９７】
従って、上記ＭＢＭＳサービスを要求したＵＥは、上記変更されたＲ ｃｒｉｔｅｒｉａ式により、ＭＢＭＳサービスを提供するＦＡに該当するセルを再選択する可能性を増加させる。上記ＭＢＭＳ＿Ｑｏｆｆｓｅｔ＿ｓ，ｎ値は、ＭＢＭＳサービスを支援するすべてのセルに同一の値で適用されるか、又は、現在のサービングセルの隣接セルごとに、相互に異なる値で適用される。
【００９８】
また、ステップ５５１で、ＭＢＭＳサービスの受信を要求したＵＥが、上記ＭＢＭＳを支援するＦＡのセルへのセル再選択を遂行する時点は、アイドルモードのＵＥ及び接続モードのＵＥに対して別に設定できる。すなわち、アイドルモードのＵＥがＭＢＭＳデータを現在送信していない状態、すなわち、特定の動作を遂行していない状態であるので、ＭＢＭＳサービスを要求した直後に、ＭＢＭＳ ＦＡ５０１へ移動する。一方、上記接続モードのＵＥは、上記ＭＢＭＳサービスを要求した後ではなく、実際のＭＢＭＳデータに対するセッション（Ｓｅｓｓｉｏｎ）が開始される場合に、ＭＢＭＳ ＦＡ５０１へ移動する。
【００９９】
ここで、ＵＥ動作の単純化のために、ＣＥＬＬ＿ＤＣＨ状態にあるＵＥを除外した他の接続状態にあるＵＥは、上記アイドルモードのＵＥと同一に動作することができる。また、下記では、アイドルモードにあるＵＥ及び接続モードにあるＵＥのＭＢＭＳセルの再選択時点を異なって適用して説明する。このとき、上記ＣＥＬＬ＿ＤＣＨ状態を除外した他の接続状態にあるＵＥがＭＢＭＳセルを再選択する時点は、上記アイドルモードのセル再選択時点と同一に適用される。
【０１００】
ステップ５６１で、ＭＢＭＳ ＦＡ５０１へのセル再選択を遂行したアイドルモードのＵＥは、ユーザ音声呼の要求に応じて、専用無線資源を要求し、上記ＵＥは、ＣＥＬＬ＿ＤＣＨ状態へ進行しようとする。このとき、上記ＭＢＭＳ ＦＡ５０１に属するセルに、上記ＭＢＭＳサービスを提供するためのあらかじめ予約された資源を除外し、使用可能な専用無線資源の不足によって、上記ＵＥは、他のセルへのセル再選択を遂行しようとする。
【０１０１】
従って、ステップ５６１でのセル再選択は、ＲＲＣ接続を設定する過程で、ＲＮＣからＵＥへ送信されたＲＲＣ接続拒絶メッセージ（Ｒａｄｉｏ  Ｒｅｓｏｕｒｃｅ  Ｃｏｎｔｒｏｌｌｅｒ  Ｃｏｎｎｅｃｔｉｏｎ  Ｒｅｊｅｃｔ  ｍｅｓｓａｇｅ）の再指示情報（ｒｅｄｉｒｅｃｔｉｏｎ  ｉｎｆｏ）フィールドを用いて遂行される。すなわち、ステップ５６１で、ＭＢＭＳ ＦＡ５０１ではない他のセルへ移動して、ＣＥＬＬ＿ＤＣＨ状態の動作を終了したＵＥは、上記再指示情報（ｒｅｄｉｒｅｃｔｉｏｎ  ｉｎｆｏ）フィールドを用いて、さらにＭＢＭＳサービスを受信するために、ＭＢＭＳ ＦＡ５０１に該当するセルへの再選択を遂行する。
【０１０２】
ステップ５７１で、ＭＢＭＳ ＦＡ５０１に位置した後に他のセルへ移動したＵＥは、ＭＢＭＳサービスを受けることができるセル再選択を遂行する。上記ＵＥは、表（１）又は表（２）に示すＳＩＢを介して、隣接したＭＢＭＳセルに関する‘ＭＢＭＳ  Ｅｎａｂｌｅｄ  Ｃｅｌｌ  ｉｎｄｉｃａｔｉｏｎ’または‘ＭＢＭＳ  ｅｎａｂｌｅｄ  ｃｅｌｌ  ｉｎｆｏ’情報を確認し、該当ＭＢＭＳを支援するセルへのセル再選択を遂行する。
【０１０３】
図６は、同一の地域に重畳されているＦＡのうちで、ＭＢＭＳサービスのためのＦＡの数が少なくとも２つである場合にＭＢＭＳサービスの支援が可能なセルを再選択するための手順を示すメッセージフロー図である。
【０１０４】
図６を参照すると、参照符号６０１及び６０２は、ＭＢＭＳを提供するＦＡを示し、参照符号６０３及び６０４は、ＭＢＭＳを提供しないＦＡを示す。参照符号６０１、６０２、６０３、６０４は、地理的に同一の地域に重畳され、相互に異なる周波数を有するＦＡを示す。上記それぞれのＦＡは、少なくとも１つ以上のセルから構成できる。本発明では、説明の便宜上、１つのＦＡが１つのセルを有すると仮定する。従って、下記の説明では、上記ＦＡは、相互に異なるセルを示し、‘ＦＡ’と‘セル’とを混用して説明する。参照符号６１１は、ＭＢＭＳサービスを提供するためのＲＮＣを示し、参照符号６２１は、ＳＧＳＮを示す。参照符号６３１は、ＲＮＣ６１１から送信されたシステム情報ブロック（ＳＩＢ）を示す。ＳＩＢ６３１は、ＦＡ６０１、６０２、６０３、６０４で、相互に異なる情報を有する。上記ＳＩＢを用いて、ＦＡ６０１、６０２、６０３、６０４に位置した該当ＵＥにＭＢＭＳを支援するＦＡに関する情報を提供する方法は、図５で提案した第１の方法、第２の方法、及び第３の方法を使用する。
【０１０５】
従って、上記第１の方法に従って、ＭＢＭＳ  ＦＡ６０１へ送信されたＳＩＢは、隣接セルに関する情報としてＭＢＭＳ ＦＡ６０２に関する情報を含み、ＭＢＭＳ ＦＡ６０２へ送信されたＳＩＢは、隣接セルに関する情報としてＭＢＭＳ ＦＡ６０１に関する情報を含む。また、ＭＢＭＳを提供しないＦＡ６０３及び６０４へ送信されたＳＩＢは、隣接セルに関する情報としてＭＢＭＳ  ＦＡ６０１及び６０２に関する情報を含む。
【０１０６】
図５に関連して示すように、上記ＭＢＭＳを支援する隣接セルに関する情報の以外に、自身のセルがＭＢＭＳサービスを支援するか否かを示す情報は、ＭＣＣＨ構成情報が他のＳＩＢに含まれているか否かを検査するか、または、ＳＩＢ  ３／４との比較を通して、ＵＥのセルがＭＢＭＳサービスを支援するか否かを示す情報を検査することによって確認することができる。
【０１０７】
また、第２の方法に従って、ＭＢＭＳサービスのための新たなＭＢＭＳ専用ＳＩＢを使用する場合に、ＵＥは、上記隣接セルに関する情報と現在の自身のセルに関する情報とを同時に確認することができる。
【０１０８】
さらに、第３の方法に従って、上記ＭＢＭＳ＿Ｑｏｆｆｓｅｔ＿ｓ，ｎ値を含むＳＩＢ １１／１２を送信するＭＢＭＳ  ＦＡ６０１及びＦＡ６０２を確認することによって、ＭＢＭＳを支援するセルを確認する。
【０１０９】
ステップ６４１の加入手順で、ＭＢＭＳサービスを要求する。
【０１１０】
ステップ６５１で、ＭＢＭＳを支援しないＦＡ６０３又はＦＡ６０４に該当するセルで、アイドルモードのＵＥは、ステップ６４１で、ＭＢＭＳサービス要求を遂行した後に、ＭＢＭＳを支援するＦＡに該当するセルへのセル再選択を遂行する。この場合に、アイドルモードのＵＥは、ステップ６３１を介して、同一の地域にＭＢＭＳサービスを支援するＦＡ６０１及びＦＡ６０２に対するセルに関する情報をすべて有している。図５では、１つのＦＡ（すなわち、セル）のみが上記ＭＢＭＳサービスを支援するので、ＵＥが同一の地域でＭＢＭＳ ＦＡへ移動すると、上記ＵＥは、所望のＭＢＭＳサービスを受信することができる。しかしながら、図６では、ＭＢＭＳサービスを支援する２つのＦＡが存在しているので、ステップ６３１で、ＵＥは、セル別に送信されたＳＩＢのみで、上記ＵＥが受信することを望むＭＢＭＳサービスが上記２つのＦＡのうちで、どんなＦＡでサービスされるかを確認することができない。
【０１１１】
従って、ＦＡ６０１及びＦＡ６０２が同一のＭＢＭＳサービスを提供する場合に、ステップ６５１で、ＵＥの受信電力の測定結果に従って、ＦＡ６０１又はＦＡ６０２を選択する。すなわち、ＵＥの所望の周波数に従ってセル再選択を遂行する。しかしながら、ＦＡ６０１及びＦＡ６０２が相互に異なるＭＢＭＳサービスを提供すると、ステップ６５１で、上記ＵＥは、所望の特定のＭＢＭＳサービスに従うＦＡを再選択する代わりに、上記要求されたＭＢＭＳサービスが支援可能であるか否かに従ってＦＡを再選択する。
【０１１２】
ステップ６６１で、上記ＭＢＭＳサービスの開始を認識したＳＧＳＮ６２１は、上記ＭＢＭＳサービスがすぐ開始されることを示すセッションスタート（ｓｅｓｓｉｏｎ  ｓｔａｒｔ）メッセージをＲＮＣ６１１へ送信する。ステップ６６２で、上記セッションスタートメッセージを受信するＲＮＣ６１１は、ＦＡ６０１及びＦＡ６０２のうちで、上記セッションスタートメッセージに該当するＭＢＭＳ ＦＡへ上記ＭＢＭＳサービス通知メッセージを送信する。このとき、上記通知メッセージは、ＦＡ６０３及びＦＡ６０４のＭＢＭＳサービスが支援されないセルには送信されない。また、上記通知メッセージは、該当ＭＢＭＳサービス識別子と、ＲＲＣ接続が必要であることをアイドルモードのＵＥへ通知するカウンティング識別情報（ｃｏｕｎｔｉｎｇ  ｉｎｄｉｃａｔｉｏｎ）と、上記ＲＲＣ接続動作に必要な確率因子と、上記ＭＢＭＳサービスを提供するＭＢＭＳ ＦＡに関する情報と、を含む。上記ＭＢＭＳ ＦＡ情報は、該当ＦＡの周波数情報、セルＩＤ、セル情報、及びＭＢＭＳオフセットを含む。
【０１１３】
例えば、ステップ６６２で、上記通知メッセージに該当するＭＢＭＳサービスが、ＭＢＭＳ ＦＡ６０１及びＭＢＭＳ ＦＡ６０２のうちで、ＦＡ６０１に該当するＭＢＭＳサービスである場合に、ＦＡ６０２に位置して、上記通知メッセージを受信したＵＥは、ＦＡ６０１に対するセルを再選択して、上記ＭＢＭＳサービスのデータを受信する。すなわち、ステップ６５１で、上記ＵＥは、ＭＢＭＳサービスを支援するか否かに従ってＭＢＭＳ ＦＡを選択し、ステップ６６２で、上記ＵＥは、所望の特定のＭＢＭＳサービスに従ってＭＢＭＳ ＦＡを再選択する。
【０１１４】
ステップ６７１で、ＦＡ６０２に位置したアイドルモードのＵＥは、上記通知メッセージを受信した後に、ＦＡ６０１に対するセルを再選択する。この場合に、ＦＡ６０２に位置したアイドルモードのＵＥは、ＦＡ６０１に対するセルと関連して、受信電力の測定結果を満足させなければならない。すなわち、ＦＡ６０２に位置したＵＥは、ＦＡ６０１に対するセルと関連して、受信電力を測定した結果として、ＦＡ６０１が提供したＭＢＭＳサービスを受信することができると、ＦＡ６０１に対するセルを再選択する。
【０１１５】
ステップ６６２及びステップ６７１の場合には、上記ＵＥは、上記ＭＢＭＳサービスに対するセッションが開始される前に、所望の特定のＭＢＭＳサービスに従ってＦＡを選択する。ステップ６８１では、上記ＭＢＭＳサービスが進行中である場合に、上記ＵＥは、所望の特定のＭＢＭＳサービスに従ってＦＡを選択する。ステップ６８１で、ステップ６３１で受信されたシステム情報を用いて、隣接セルのうちで、ＭＢＭＳを支援するセルを優先的に再選択する。上記セル再選択は、上記ＵＥの受信電力の測定を介してなされ、上記ＵＥは、上記選択されたセルからＭＣＣＨを介して受信されたＭＢＭＳ有効性情報を確認する。
【０１１６】
このとき、上記ＭＢＭＳ有効性情報は、上記ＵＥが受信することを望む特定のＭＢＭＳサービスが支援可能であるか否かを示す情報である。従って、上記ＵＥは、上記ＭＢＭＳ有効性情報を確認することによって、上記再選択されたセルに特定のＭＢＭＳサービスが存在するか否かを確認する。このとき、上記再選択されたセルが上記ＵＥの要求した特定のＭＢＭＳサービスを支援しないセルであれば、上記ＵＥは、上記システム情報を用いて、同一の地域をサービスしている他のＭＢＭＳ  ＦＡへ移動する。すなわち、上記ＵＥは、上記システム情報を用いて、他のＭＢＭＳ  ＦＡに対するセルを再選択する。
【０１１７】
ここで、上記ＭＢＭＳ有効性情報は、ＭＢＭＳサービスが現在ＵＥを含むセルに対して存在するか否かに関する情報だけではなく、上記ＵＥが要求した特定のＭＢＭＳサービスが支援される実際のＭＢＭＳ  ＦＡに関する情報をさらに含むこともできる。すなわち、上記ＵＥが要求したＭＢＭＳサービスが進行中である実際のＦＡに関する情報を含む。
【０１１８】
すなわち、上記ＭＢＭＳ有効性情報は、上記再選択されたセルで、ＭＢＭＳサービスが進行中であるＭＢＭＳサービスＩＤ、上記セルの周波数情報、セルＩＤ、Ｐ−ＣＰＩＣＨ情報、及びＭＢＭＳオフセット情報を含む。従って、ＭＣＣＨを介して上記ＭＢＭＳ有効性情報を受信した上記ＵＥは、現在自身が位置したセルで上記特定のＭＢＭＳサービスが存在するか否かを確認し、上記特定のＭＢＭＳサービスが存在しなければ、上記ＭＢＭＳ有効性情報を通じて、上記特定のＭＢＭＳサービスが存在するセルに再選択を遂行する。
【０１１９】
以下、図７は、図６に示した手順と関連して、少なくとも２つのＦＡでＭＢＭＳサービスを提供する手順を示すメッセージフロー図である。この場合に、本発明の実施例に従って、ＭＢＭＳオフセット値を使用し、ＭＣＣＨ有効性メッセージを通して、他のＦＡで提供されるサービス及び該当ＦＡに関する情報を送信する方法と、セッションを開始した後に、ＵＥへ各サービスに対する所望の周波数帯域に関する情報を送信する過程を示す。このとき、少なくとも２つ以上のＦＡが、相互に異なるＭＢＭＳサービス、例えば、サービス１及びサービス２を提供すると仮定する。
【０１２０】
図７を参照すると、参照符号７０１及び７０２は、ＭＢＭＳサービスを受信するＵＥを示し、参照符号７０３は、ＭＢＭＳサービスを提供するためのＲＮＣを示す。このとき、ＵＥ７０１及び７０２は、上記ＭＢＭＳサービスのための所望の周波数帯域ではない他の周波数帯域に該当するセルに位置している。
【０１２１】
ステップ７１１で、ＳＧＳＮ７０４からセッションスタートメッセージ７０５を受信したＲＮＣ７０３は、上記ＭＢＭＳサービスと関連して上記セッションを開始する前に、ＵＥ７０１及び７０２へ上記ＭＢＭＳサービスに対する所望の周波数帯域への移動に必要な情報を含む通知メッセージ７１１を送信する。このような通知過程において、ＲＮＣ７０３は、現在定義されているセッションスタートメッセージを用いるか、又は、別途の他のメッセージを用いることができる。ステップ７１１で、ＲＮＣ７０３は、セッションを開始しようとする上記ＭＢＭＳサービスＩＤ、上記ＭＢＭＳサービスに対する所望の周波数に関する情報、及び他の周波数を使用してセル再選択を遂行する時に使用されるＭＢＭＳオフセット値を含む。
【０１２２】
ステップ７１２で、上記通知メッセージを受信したＵＥ７０１は、上記ＭＢＭＳサービスに対する所望の周波数に関する情報を用いて周波数間の測定を遂行する。これは、上記ＭＢＭＳサービスと関連して所望の周波数帯域へのセル再選択を遂行するためである。
【０１２３】
ステップ７１３及びステップ７１４で、ＲＮＣ７０３は、上記ＵＥの移動性を支援するために、上記ＭＢＭＳサービスＩＤ、所望の周波数情報、及び上記ＭＢＭＳオフセット情報を含むメッセージをＵＥ７０１及び７０２へ周期的に送信する。このとき、上記メッセージは、上記ＭＣＣＨを介して送信されることができる。
【０１２４】
上記と関連して、上記ＭＢＭＳサービスを受信するＵＥ７０１及び７０２は、下記の場合に、周波数間の測定を即時遂行する。
【０１２５】
１）  セッションを開始する前に、加入したＭＢＭＳサービスに対する所望の周波数帯域が現在のセルに対する周波数帯域ではないことを通知メッセージを通して確認する場合に、ＵＥは、周波数間の測定を即時遂行する。
【０１２６】
２）  セッションを進行する中に、ＵＥは、セル再選択を遂行し、上記再選択されたセルの周波数が、該当ＭＢＭＳサービスに対する所望の周波数帯域ではないことを周期的に送信された制御メッセージを通して確認する場合に、周波数間の測定を即時遂行する。
【０１２７】
すなわち、上記ＭＢＭＳサービスを要求したＵＥは、上記ＭＢＭＳセッションを開始する前に送信されたＭＢＭＳサービスに対する所望の周波数帯域に関する情報を含む通知メッセージ７１１を受信する場合に、周波数間の測定を遂行する。または、ＭＢＭＳサービスに対するＭＢＭＳセッションが進行中であり、上記ＭＢＭＳサービスを受信しているＵＥが、ＵＥの移動性により他のセルを再選択する場合に、周期的に送信された制御メッセージ７１３及び７１４を介して、上記ＭＢＭＳサービスに対する所望の周波数帯域が上記選択されたセルの周波数ではない他の周波数帯域であることを確認する場合には、ＵＥは、周波数間の測定を遂行しなければならない。
【０１２８】
ＵＥ７０１又はＵＥ７０２がセッションを開始する前に送信された通知メッセージ又はセッションが進行している間に送信された制御メッセージを受信して、上記ＭＢＭＳサービスに対する所望の周波数帯域へのセル再選択を試みる場合に、上記送信された周波数帯域の無線状態が良くないので、上記ＭＢＭＳサービスを支援する周波数帯域ではない他の周波数帯域へのセル再選択を遂行する場合には、ＵＥは、上記他の周波数帯域へのセル再選択を遂行する代わりに、現在のセルにそのまま滞在する。これは、上記所望の周波数帯域ではない他の周波数帯域へのセル再選択が、現在のセルに滞在するものと同一であり、他の測定及びセル再選択のみを誘発するためである。このとき、上記現在のセルに滞在しているＵＥは、上記ＭＢＭＳサービスを要求して、上記現在のセルでもＭＢＭＳサービスを受信することができる。
【０１２９】
このとき、上記現在のセルに滞在しつつＭＢＭＳサービスを受信しているＵＥは、上記周波数間の測定（ｉｎｔｅｒ−ｆｒｅｑｕｅｎｃｙ  Ｍｅａｓｕｒｅｍｅｎｔ）区間の間に、Ｓｘ（任意のＭＢＭＳサービスＸに対する現在のセル内の周波数測定を遂行した値）が、Ｓｉｎｔｅｒ（周波数間の測定を遂行するために設定された臨界値）より大きいとしても、周波数間の測定を遂行しなければならない。これは、上記所望の周波数帯域へのセル再選択を失敗したＵＥが、Ｓｘが上記設定された基準値Ｓｉｎｔｅｒよりも小さいか、又は、同一の値を有しない限り、上記ＭＢＭＳサービスに対する所望の周波数帯域へのセル再選択のための周波数間の測定を遂行しないことによって、上記所望の周波数へのセル再選択を行わないためである。
【０１３０】
例えば、上記周波数間の測定を遂行するための区間である圧縮モード（ｃｏｍｐｒｅｓｓｅｄ  Ｍｏｄｅ）の測定区間またはＦＡＣＨ測定区間、すなわち、上記ＵＥの状態及びモードに従って割り当てられた周波数間の測定区間には、ＵＥは、上記Ｓｘ値に関係なしに、周波数間の測定を遂行する。
【０１３１】
上記Ｓｘ＞Ｓｉｎｔｅｒであるとしても、ＵＥは、上記所望の周波数帯域へのセル再選択のために、上記所望の周波数帯域に対する測定を周期的に遂行しなければならない。ＵＥは、上記測定区間だけではなく、あらかじめ決定されたタイマー値又は期間に基づいて、上記測定を周期的に遂行する。このとき、上記タイマー値は、システム情報を通じてあらかじめ送信される。
【０１３２】
従って、上記所望の周波数帯域へのセル再選択を失敗したＵＥは、現在のセルに滞在しつつ、周期的な周波数間の測定を遂行し、上記周波数間の測定結果が上記セル再選択条件を満足すると、上記ＭＢＭＳサービスに対する所望の周波数帯域へのセル再選択を遂行する。
【０１３３】
このとき、ＭＢＭＳサービスに対する所望の周波数帯域へのセル再選択を遂行するＵＥは、ステップ７１１、ステップ７１３、及びステップ７１４で、ＲＮＣ７０３からＭＢＭＳオフセット値を用いる。すなわち、ステップ７１１、ステップ７１３、及びステップ７１４で送信されたメッセージに含まれている上記ＭＢＭＳオフセット情報は、他の周波数帯域よりも上記ＭＢＭＳを支援する上記所望の周波数帯域を優先するために提供される。従って、上記ＭＢＭＳオフセット値を上記所望の周波数帯域に適用することによって、他の周波数よりもさらに高い確率でセル再選択を行う。
【０１３４】
式（３）に関連して説明したように、特定のＭＢＭＳサービスに対する所望の周波数帯域に該当するセルのＲｎ値は、他の周波数に該当するセルに対するＲｎ値よりもＭＢＭＳオフセット値だけ大きい値を有する。結果的に、上記所望の周波数帯域に該当するセルが他の周波数に該当するセルに比べて、さらに高い優先度（すなわち、ランク）を有する確率が大きい。また、上記ＭＢＭＳサービスの受信を望むＵＥが上記所望の周波数帯域へのセル再選択を遂行する確率が大きい。上記ＭＢＭＳオフセット値を適用したとしても、他の周波数帯域のセルが再選択されると、ＵＥは、セル再選択を遂行せず、現在のセルに滞在する。
【０１３５】
図８は、本発明の実施例による第１及び第２の方法に基づくＵＥの動作を示すフローチャートである。図８を参照すると、ステップ８０１で、上記アイドルモードのＵＥは、現在自身が位置したセルからシステム情報を受信する。上記システム情報は、地理的に同一の地域に重畳されてＭＢＭＳサービスを支援するＦＡに関する情報と、同一の地域ではないが、ＭＢＭＳサービスを支援する隣接セルに関する情報とを含む。
【０１３６】
すなわち、上記ＵＥは、本発明の第１の方法に従って、ＭＢＭＳ  ｅｎａｂｌｅｄ  ｃｅｌｌ  ｉｎｆｏフィールドを含むシステム情報を受信するか、第２の方法に従って、新たに定義されたＭＢＭＳ専用ＳＩＢを受信する。又は、第３の方法に従って、上記ＭＢＭＳ＿Ｑｏｆｆｓｅｔ＿ｓ，ｎ値を含むＳＩＢを受信する。
【０１３７】
ステップ８０２で、上記ＵＥは、所望の特定のＭＢＭＳサービスが現在のセルで存在するか否かを確認する。このとき、上記ＵＥは、上記所望の特定のＭＢＭＳサービスが現在のセルに存在すると、ステップ８２１へ進行する。しかしながら、上記所望の特定のＭＢＭＳサービスが現在のセルに存在しないと、ＵＥは、ステップ８１１へ進行して、正常の動作を遂行する。
【０１３８】
ステップ８２１で、ＵＥは、現在自身が位置したセルから送信された上記システム情報にＭＣＣＨ構成情報が含まれているか否かを確認する。すなわち、第１の方法に従って、ＵＥは、ＭＢＭＳ  Ｅｎａｂｌｅｄ  Ｃｅｌｌ  ｉｎｄｉｃａｔｉｏｎを含むＳＩＢを確認して、上記ＭＢＭＳサービスが現在のセルで有効であるか否か及び上記ＭＢＭＳサービスが隣接セルで有効であるか否かを確認する。第２の方法に従って、ＵＥは、ＭＢＭＳ専用ＳＩＢのＭＢＭＳ  ｅｎａｂｌｅｄ  ｃｅｌｌ  ｉｎｆｏフィールド及び同一のサービス地域指示フィールドに基づいて、上記ＭＢＭＳサービスが現在のセルで有効であるか否かを確認する。第３の方法に従って、ＵＥは、上記ＭＢＭＳ＿Ｑｏｆｆｓｅｔ＿ｓ，ｎ値に基づいて、現在のセルで上記ＭＢＭＳサービスが有効であるか否かを確認する。
【０１３９】
ステップ８２１で、上記ＭＢＭＳサービスに対するＭＣＣＨ構成情報が現在のセルからのシステム情報に含まれていない場合、又は、上記現在のセルが上記特定のＭＢＭＳサービスの支援が可能なセルではない場合、上記ＵＥは、ステップ８４１へ進行する。しかしながら、ステップ８２１で、上記ＭＣＣＨ構成情報が現在のセルからのシステム情報に含まれるか、又は、上記現在のセルが上記特定のＭＢＭＳサービスの支援が可能なセルであれば、ステップ８３１へ進行する。
【０１４０】
このとき、ステップ８３１で、上記ＵＥは、周期的に送信された上記ＭＣＣＨを受信し、上記ＭＣＣＨを介して送信された制御メッセージに従って動作する。ステップ８４１で、上記ＵＥは、上記ＭＢＭＳを支援する隣接セルに関する情報を含むＳＩＢ １１／１２を受信するか、又は、隣接セルに関する情報を示すＭＢＭＳ  ｅｎａｂｌｅｄ  ｃｅｌｌ  ｉｎｆｏフィールドと、自身のセルに関する情報を含む新たに定義されたＭＢＭＳ専用ＳＩＢとを受信する。また、上記ＵＥは、他のセルを通して、上記ＭＢＭＳを支援するための優先度を有するセルを示すＭＢＭＳ＿Ｑｏｆｆｓｅｔ＿ｓ，ｎを含むＳＩＢを受信する。
【０１４１】
また、上記ＵＥの移動性を考慮して、上記ＭＢＭＳを支援するＦＡに関する情報を含むＭＣＣＨを周期的に受信する。このとき、上記ＭＣＣＨは、上記ＭＢＭＳサービスＩＤと所望の周波数情報とを含む。
【０１４２】
ステップ８４２で、上記ＵＥは、上記受信されたＭＢＭＳ ＦＡに関する情報に基づいて、ＭＢＭＳを支援するＦＡ、すなわち、ＭＢＭＳセルへのセル再選択を遂行する。ステップ８４２で、上記ＵＥは、ＭＢＭＳ  ｅｎａｂｌｅｄ  ｃｅｌｌ  ｉｎｆｏを確認して、自身が属したセルと同一の基地局に属している、すなわち、同一の地域を制御するセルを優先的に選択する。このとき、上記同一の地域を含むＭＢＭＳを支援するセルに関する情報がなければ、他の隣接したセルへのセル再選択を遂行する。上記同一の地域を含むＭＢＭＳを支援するセルが存在するが、ＭＢＭＳサービスを受信するための受信電力を測定した結果として、上記受信電力が臨界値よりも小さいと、上記ＵＥは、他の隣接したＭＢＭＳサービスを支援するセルへのセル再選択を遂行する。すなわち、上記すべてのセルに関する再選択は、上記受信電力の測定結果を満足しなければならない。
【０１４３】
このとき、上記ＭＢＭＳサービスを支援する所望の周波数帯域へのセル再選択を遂行することができない場合には、現在のセルに滞在しつつ、周期的な周波数間の測定を遂行して、セル再選択の条件を満足すると、上記所望の周波数帯域へのセル再選択を遂行する。
【０１４４】
図９は、本発明の実施例による第３の方法に基づくＵＥの動作を示すフローチャートである。
【０１４５】
図９を参照すると、ステップ９０１で、ＵＥは、セッションスタートメッセージを受信するか、又は、セッションが進行する間、ＦＬＣ（Ｆｒｅｑｕｅｎｃｙ  Ｌａｙｅｒ  Ｃｏｎｖｅｒｇｅｎｃｅ)のための情報、すなわち、ＭＢＭＳサービス識別子、周波数／セル情報（ｆｒｅｑｕｅｎｃｙ／ｃｅｌｌ  ｉｎｆｏ）、ＭＢＭＳオフセット情報を、通知メッセージまたは周期的に送信されたメッセージを介して受信する。ステップ９０２で、上記ＵＥは、上記ＦＬＣのための情報のうちで、上記ＭＢＭＳサービス識別子を確認して、上記セル内でセッションが進行中である上記ＭＢＭＳサービスについて自身が加入したＭＢＭＳサービスであるか否かを確認する。
【０１４６】
ステップ９０２で、上記セッションが進行中であるＭＢＭＳサービスについて、自身が加入したＭＢＭＳサービスであれば、上記ＵＥは、上記周波数情報／セル情報が、上記現在のセルのセル情報と同一であるか否かを確認する。一方、ステップ９０２で、進行中である上記ＭＢＭＳサービスについて自身が加入したＭＢＭＳサービスではない場合、又は、ステップ９１１で、周波数情報／セル情報が現在のセルのセル情報と同一である場合、上記ＵＥは、ステップ９１２へ進行する。ステップ９１２で、上記ＵＥは、上記ＭＢＭＳサービスのためのセル再選択を遂行する必要なしに、現在のセルにそのまま滞在する。
【０１４７】
一方、ステップ９１１で、上記周波数情報／セル情報が現在のセル情報と同一でない場合には、ステップ９２１で、上記ＵＥは、セル再選択のための測定をする対象セルがあるか否かを確認する。すなわち、ステップ９２１で、上記ＵＥは、上記周波数情報／セル情報に従って、周波数間の測定を遂行する対象のセルがあるか否かを確認する。ステップ９２１で、周波数間の測定のための対象セルが存在すると、ステップ９２２で、ＵＥは、該当セルに対して周波数間の測定を遂行する。
【０１４８】
ステップ９３１で、上記ＵＥは、ステップ９２２の測定結果が、Ｓ  ｃｒｉｔｅｒｉａを満足するか否かを確認する。上記測定結果が上記Ｓ  ｃｒｉｔｅｒｉａを満足すると、ステップ９３２で、上記ＵＥは、本発明で提案したＭＢＭＳオフセット値を用いる変更されたＲ  ｃｒｉｔｅｒｉａ式を適用して、上記セルをセル再選択のための順位リストに位置させる。上記過程は、ステップ９２１へ戻る。
【０１４９】
一方、ステップ９２１で、上記周波数情報／セル情報に従って、周波数間の測定を遂行した対象セルが存在しないと、すなわち、ステップ９２１で、ＮＯである場合に、ステップ９４１で、上記ＵＥは、Ｓ  ｃｒｉｔｅｒｉａを満足するセルが１つでもあるか否かを確認する。このとき、ステップ９４１で、上記Ｓ  ｃｒｉｔｅｒｉａを満足するセルが１つでもある場合には、すなわち、ステップ９４１でＹＥＳである場合に、ステップ９４２へ進行して、ＵＥは、セル再選択のための順位のリストからもっとも高い順位のセルを選択する。ステップ９５１で、上記ＵＥは、上記もっとも高い順位のセルがステップ９０１で受信された周波数情報／セル情報に該当するセルであるか否かを検査する。
【０１５０】
このとき、上記もっとも高い順位のセルがステップ９０１で受信された周波数情報／セル情報に該当するセルである場合に、ステップ９６１で、上記ＵＥは、上記セルがステップ９４２で受信されたシステム情報により、上記ＵＥの滞在（キャンピング）が制限されるか否かを検査する。ステップ９６１で、上記セルが上記システム情報によって制限されないと、上記ＵＥは、ステップ９６２で、もっとも高い順位のセルを再選択する。上記システム情報は、ＰＬＭＮ（Ｐｕｂｌｉｃ  Ｌａｎｄ  Ｍｏｂｉｌｅ  Ｎｅｔｗｏｒｋ）ＩＤ、ｆｏｒｂｉｄｄｅｎ  ＬＡ（Ｌｏｃａｔｉｏｎ  Ａｒｅａ）、又は、セル状態になることができる。一方、ステップ９６１で、上記セルが上記システム情報によって制限される場合、ステップ９５１で、もっとも高い順位のセルが上記周波数情報／セル情報に該当しない場合、又は、ステップ９４１で、Ｓ  ｃｒｉｔｅｒｉａを満足するセルがない場合に、上記ＵＥは、上記ＭＢＭＳサービスのためのセル再選択を遂行する必要なしに、上記現在のセルにそのまま滞在する。
【０１５１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１５２】
【図１】一般的な移動通信システムの構成を概略的に示す図である。
【図２】ＭＢＭＳシステムの構成を概略的に示す図である。
【図３】ＭＢＭＳサービスを支援する移動通信システムにおける各ノード間の動作を示すメッセージフロー図である。
【図４】特定の領域に複数のセルが重畳されている構成を示す図である。
【図５】本発明の第１実施例に従って、ＭＢＭＳサービスを支援するセルを再選択する手順を示すメッセージフロー図である。
【図６】本発明の第２実施例に従って、ＭＢＭＳサービスを支援するセルを再選択する手順を示すメッセージフロー図である。
【図７】本発明の第３実施例に従って、ＭＢＭＳサービスを支援する所望の周波数帯域にセルを再選択する手順を示すメッセージフロー図である。
【図８】本発明に従って、ＭＢＭＳサービスを支援するＵＥの動作を示すフローチャートである。
【図９】本発明に従って、ＭＢＭＳサービスを支援するＵＥの他の動作を示すフローチャートである。
【図１】
2007502573.tif 000009
【図２】
2007502573.tif 000010
【図３】
2007502573.tif 000011
【図４】
2007502573.tif 000012
【図５】
2007502573.tif 000013
【図６】
2007502573.tif 000014
【図７】
2007502573.tif 000015
【図８】
2007502573.tif 000016
【図９】
2007502573.tif 000017
【国際調査報告】
2007502573.tif 000018
2007502573.tif 000019
2007502573.tif 000020